(57)【要約】      （修正有）【課題】ワイヤレス通信システムにおいて複数のＵＥの通信を管理するための基準信号を柔軟に管理する。【解決手段】複数のユーザ機器の通信を管理するための基準信号の条件付き利用において、第１サブフレームスロットおよび第２サブフレームスロットを有する送信を受信する。前記２つのサブフレームスロットのうちの少なくとも１つはシングルスロットの送信時間間隔を有する。第１サブフレームスロットにおいて第１ＤＭ−ＲＳを、第２サブフレームスロットにおいて第２ＤＭ−ＲＳを検出し、少なくとも１つの条件が存在するかどうかに基づいて、第１サブフレームスロットにおける第１ＤＭ−ＲＳを使用して第１サブフレームスロットにおける少なくとも１つのダウンリンクチャネルを復調するかどうかまたは第１サブフレームスロットにおける第１ＤＭ−ＲＳおよび第２サブフレームスロットにおける第２ＤＭ−ＲＳの両方を復調するかどうかを決定する。【選択図】図５
2020022166.tif 000002
【特許請求の範囲】
【請求項１】
ワイヤレス通信のための方法であって、
第１のサブフレームスロットおよび第２のサブフレームスロットを有する送信を受信すること、ここにおいて、前記第１のサブフレームスロットおよび前記第２のサブフレームスロットのうちの少なくとも１つは、シングルスロットの送信時間間隔（ＴＴＩ）を有する、と、
前記第１のサブフレームスロットにおいて第１の復調基準信号（ＤＭ−ＲＳ）を、および前記第２のサブフレームスロットにおいて第２のＤＭ−ＲＳを検出することと、
前記第１のサブフレームスロットにおける少なくとも１つのダウンリンクチャネルを復調するために、前記第２のサブフレームスロットにおける前記第２のＤＭ−ＲＳを使用することに対して、少なくとも１つの条件が存在するかどうかを、プロセッサを介して、決定することと、
前記少なくとも１つの条件が存在するかどうかに基づいて、前記第１のサブフレームスロットにおける前記第１のＤＭ−ＲＳを使用して、または前記第１のサブフレームスロットにおける前記第１のＤＭ−ＲＳおよび前記第２のサブフレームスロットにおける前記第２のＤＭ−ＲＳの両方を使用して、前記第１のサブフレームスロットにおける少なくとも１つのダウンリンクチャネルを復調するかどうかを決定することと
を備える、方法。
【請求項２】
前記条件は、前記第１のサブフレームスロットにおける前記少なくとも１つのダウンリンクチャネルを復調するために前記第２のサブフレームスロットにおける前記第２のＤＭ−ＲＳを使用するためのインジケーションを備える、請求項１に記載の方法。
【請求項３】
前記第２のＤＭ−ＲＳを使用するための前記インジケーションは、
前記第２のＤＭ−ＲＳを使用することに関連付けられた既知の無線リソース制御（ＲＲＣ）構成、または
前記第２のＤＭ−ＲＳを使用することに関連付けられた既知のダウンリンク制御情報（ＤＣＩ）フォーマット
のうちの少なくとも１つをさらに備える、請求項２に記載の方法。
【請求項４】
前記第２のＤＭ−ＲＳを使用するための前記インジケーションは、復調のために使用される同じスロットにおける他のリソース要素の識別子をさらに備える、請求項２に記載の方法。
【請求項５】
前記第２のＤＭ−ＲＳを使用するための前記インジケーションは、前記第２のＤＭ−ＲＳを使用することに関連付けられた暗黙のインジケーションをさらに備える、請求項２に記載の方法。
【請求項６】
前記暗黙のインジケーションは、
前記第１のサブフレームスロットにおいてスケジューリングされた既知のランク送信、または
前記第１のサブフレームスロットにおけるスケジューリングされたデータ送信のために前記第２のサブフレームスロットにおいて送信される制御信号
のうちの少なくとも１つを備える、請求項５に記載の方法。
【請求項７】
前記第１のサブフレームスロットにおいて前記第１のＤＭ−ＲＳをおよび前記第２のサブフレームスロットにおいて前記第２のＤＭ−ＲＳを検出することは、
前記第１のサブフレームスロットの少なくとも１つのリソースブロックにおいて前記第１のＤＭ−ＲＳを検出することと、
前記第２のサブフレームスロットの少なくとも１つのリソースブロックにおいて前記第２のＤＭ−ＲＳを検出することと、
ここにおいて、前記条件が存在するかどうかを決定することは、前記第１のサブフレームスロットの前記少なくとも１つのリソースブロックの各々に関して、および前記第２のサブフレームスロットの前記少なくとも１つのリソースブロックの各々に関して、決定することをさらに備える、と
をさらに備える、請求項１に記載の方法。
【請求項８】
前記第１のサブフレームスロットにおける第１のＤＭ−ＲＳおよび前記第２のサブフレームスロットにおける前記第２のＤＭ−ＲＳは、アンテナポートの同じグループに関連付けられる、請求項１に記載の方法。
【請求項９】
前記第１のサブフレームスロットにおける前記第１のＤＭ−ＲＳおよび前記第２のサブフレームスロットにおける前記第２のＤＭ−ＲＳは、長さ２、または長さ４の直交カバーコード（ＯＣＣ）に関連付けられる、請求項１に記載の方法。
【請求項１０】
前記第２のサブフレームスロットにおいてスケジューリングされた少なくとも１つのチャネルが前記第２のサブフレームスロットにおけるアンテナポートグループとは異なるアンテナポートグループにおけるアンテナポートのセットを用いて送信されるとき、前記第２のサブフレームスロットにおける前記第２のＤＭ−ＲＳおよび前記第１のＤＭ−ＲＳの周りで、チャネルレートマッチングを行うことをさらに備える、請求項１に記載の方法。
【請求項１１】
前記第１のサブフレームスロットにおける前記第１のＤＭ−ＲＳは、アンテナポートの第１のグループに対応し、前記第２のサブフレームスロットにおける前記第２のＤＭ−ＲＳは、アンテナポートの前記第１のグループとは異なるアンテナポートの第２のグループに対応する、請求項１に記載の方法。
【請求項１２】
前記第１のサブフレームスロットにおける前記第１のＤＭ−ＲＳおよび前記第２のサブフレームスロットにおける前記第２のＤＭ−ＲＳは、各々、直交カバーコード（ＯＣＣ）の異なる長さに関連付けられる、請求項１に記載の方法。
【請求項１３】
データチャネルのための利用可能なリソース要素の数に対応する前記第１のサブフレームスロットにおけるリソース利用可能性を決定することと、
しきい値と前記リソース利用可能性を比較することと、
前記比較に基づいて、前記第１のサブフレームスロットに関して、トランスポートブロックサイズをスケーリングすることと
をさらに備える、請求項１に記載の方法。
【請求項１４】
前記しきい値が、既定の値、またはネットワークによって示された値のうちの少なくとも１つである、請求項１３に記載の方法。
【請求項１５】
前記シングルスロットのＴＴＩを有する前記少なくとも１つのダウンリンクチャネルとダウンリンクサブフレームに含まれる少なくとも１つの他のダウンリンクチャネルとの間でハイブリッド自動再送要求（ＨＡＲＱ）プロセスを共有すること、ここにおいて、前記少なくとも１つの他のダウンリンクチャネルは、サブフレーム長ＴＴＩを有する、をさらに備える、請求項１に記載の方法。
【請求項１６】
前記シングルスロットのＴＴＩを有する前記少なくとも１つのダウンリンクチャネルに関して、少なくとも１つの第１のハイブリッド自動再送要求（ＨＡＲＱ）プロセスを維持することと、
ダウンリンクサブフレームにおいて含まれる少なくとも１つの他のダウンリンクチャネルに関して、少なくとも１つの第２のＨＡＲＱプロセスを維持すること、ここにおいて、前記少なくとも１つの他のダウンリンクチャネルは、サブフレーム長ＴＴＩを有する、と、
前記少なくとも１つの第１のＨＡＲＱプロセスおよび前記少なくとも１つの第２のＨＡＲＱプロセスのためのシンボルを記憶するためのソフトバッファを区画することと、
をさらに備える、請求項１に記載の方法。
【請求項１７】
同じプリコーディングおよび電力が、前記第１のサブフレームスロットにおける前記第１のＤＭ−ＲＳおよび前記第２のサブフレームスロットにおける前記第２のＤＭ−ＲＳの両方に使用される、請求項１に記載の方法。
【請求項１８】
前記第１のサブフレームスロットと前記第２のサブフレームスロットとの間の電力差を識別する電力差のインジケーションを受信すること
をさらに備え、
ここにおいて、前記第１のサブフレームスロットにおける前記第１のＤＭ−ＲＳおよび前記第２のサブフレームスロットにおける前記第２のＤＭ−ＲＳは、それぞれ、前記電力差に基づいて、復調される、
請求項１に記載の方法。
【請求項１９】
前記第１のサブフレームスロットにおける前記第１のＤＭ−ＲＳを使用して、または前記第１のサブフレームスロットにおける前記第１のＤＭ−ＲＳおよび前記第２のサブフレームスロットにおける前記第２のＤＭ−ＲＳの両方を使用して、前記第１のサブフレームスロットにおける前記少なくとも１つのダウンリンクチャネルを復調することをさらに備える、請求項１に記載の方法。
【請求項２０】
前記第１のサブフレームスロットは、第１のサブフレームのスロットにおける１つまたは複数のシンボル、および第２のサブフレームのスロットにおける１つまたは複数のシンボルを含むシンボルのセットを備える、請求項１に記載の方法。
【請求項２１】
前記第１のサブフレームスロットおよび前記第２のサブフレームスロットは、同じサブフレームまたは異なるサブフレームのうちの少なくとも１つに対応する、請求項１に記載の方法。
【請求項２２】
前記第２のサブフレームスロットは、前記第１のサブフレームスロットまたは前記第２のサブフレームスロットのうちの少なくとも１つに時間的に先行する、請求項１に記載の方法。
【請求項２３】
ワイヤレス通信のための装置であって、
第１のサブフレームスロットおよび第２のサブフレームスロットを有する送信を受信するための手段、ここにおいて、前記第１のサブフレームスロットおよび前記第２のサブフレームスロットのうちの少なくとも１つは、シングルスロットの送信時間間隔（ＴＴＩ）を有する、と、
前記第１のサブフレームスロットにおいて第１の復調基準信号（ＤＭ−ＲＳ）を、および前記第２のサブフレームスロットにおいて第２のＤＭ−ＲＳを検出するための手段と、  前記第１のサブフレームスロットにおける少なくとも１つのダウンリンクチャネルを復調するために、前記第２のサブフレームスロットにおける前記第２のＤＭ−ＲＳを使用することに対して、少なくとも１つの条件が存在するかどうかを、プロセッサを介して、決定するための手段と、
前記少なくとも１つの条件が存在するかどうかに基づいて、前記第１のサブフレームスロットにおける前記第１のＤＭ−ＲＳを使用して、または前記第１のサブフレームスロットにおける前記第１のＤＭ−ＲＳおよび前記第２のサブフレームスロットにおける前記第２のＤＭ−ＲＳの両方を使用して、前記第１のサブフレームスロットにおける前記少なくとも１つのダウンリンクチャネルを復調するかどうかを決定するための手段と、
を備える、装置。
【請求項２４】
前記条件は、前記第１のサブフレームスロットにおける前記少なくとも１つのダウンリンクチャネルを復調するために前記第２のサブフレームスロットにおける前記第２のＤＭ−ＲＳを使用するためのインジケーションを備える、請求項２３に記載の装置。
【請求項２５】
ワイヤレス通信のための装置であって、
トランシーバと、
メモリと、
前記メモリに結合され、および、
第１のサブフレームスロットおよび第２のサブフレームスロットを有する送信を、前記トランシーバを介して、受信すること、ここにおいて、前記第１のサブフレームスロットおよび前記第２のサブフレームスロットのうちの少なくとも１つは、シングルスロットの送信時間間隔（ＴＴＩ）を有する、と、
前記第１のサブフレームスロットにおいて第１の復調基準信号（ＤＭ−ＲＳ）を、および前記第２のサブフレームスロットにおいて第２のＤＭ−ＲＳを検出することと、
前記第１のサブフレームスロットにおける少なくとも１つのダウンリンクチャネルを復調するために、前記第２のサブフレームスロットにおける前記第２のＤＭ−ＲＳを使用することに対して、少なくとも１つの条件が存在するかどうかを決定することと、
前記少なくとも１つの条件が存在するかどうかに基づいて、前記第１のサブフレームスロットにおける前記第１のＤＭ−ＲＳを使用して、または前記第１のサブフレームスロットにおける前記第１のＤＭ−ＲＳおよび前記第２のサブフレームスロットにおける前記第２のＤＭ−ＲＳの両方を使用して、前記第１のサブフレームスロットにおける前記少なくとも１つのダウンリンクチャネルを復調するかどうかを決定することと、
を行うように構成された、少なくとも１つのプロセッサと
を備える、装置。
【請求項２６】
前記条件は、前記第１のサブフレームスロットにおける前記少なくとも１つのダウンリンクチャネルを復調するために前記第２のサブフレームスロットにおける前記第２のＤＭ−ＲＳを使用するためのインジケーションを備える、請求項２５に記載の装置。
【請求項２７】
前記第２のＤＭ−ＲＳを使用するための前記インジケーションは、
前記第２のＤＭ−ＲＳを使用することに関連付けられた既知の無線リソース制御（ＲＲＣ）構成、または
前記第２のＤＭ−ＲＳを使用することに関連付けられた既知のダウンリンク制御情報（ＤＣＩ）フォーマット
のうちの少なくとも１つをさらに備える、請求項２６に記載の装置。
【請求項２８】
前記第１のサブフレームスロットにおいて前記第１のＤＭ−ＲＳをおよび前記第２のサブフレームスロットにおいて前記第２のＤＭ−ＲＳを検出するように構成された前記少なくとも１つのプロセッサは、
前記第１のサブフレームスロットの少なくとも１つのリソースブロックにおいて前記第１のＤＭ−ＲＳを検出することと、
前記第２のサブフレームスロットの少なくとも１つのリソースブロックにおいて前記第２のＤＭ−ＲＳを検出することと、
を行うようにさらに構成され、
ここにおいて、前記条件が存在するかどうかを決定するように構成された前記少なくとも１つのプロセッサは、前記第１のサブフレームスロットの前記少なくとも１つのリソースブロックの各々に関して、および前記第２のサブフレームスロットの前記少なくとも１つのリソースブロックの各々に関して、決定すること
を行うようにさらに構成される、請求項２５に記載の装置。
【請求項２９】
コンピュータ実行可能なコードを記憶したコンピュータ読取り可能媒体であって、
第１のサブフレームスロットおよび第２のサブフレームスロットを有する送信を受信すること、ここにおいて、前記第１のサブフレームスロットおよび前記第２のサブフレームスロットのうちの少なくとも１つは、シングルスロットの送信時間間隔（ＴＴＩ）を有する、と、
前記第１のサブフレームスロットにおいて第１の復調基準信号（ＤＭ−ＲＳ）を、および前記第２のサブフレームスロットにおいて第２のＤＭ−ＲＳを検出することと、
前記第１のサブフレームスロットにおける少なくとも１つのダウンリンクチャネルを復調するために、前記第２のサブフレームスロットにおける前記第２のＤＭ−ＲＳを使用することに対して、少なくとも１つの条件が存在するかどうかを、プロセッサを介して、決定することと、
前記少なくとも１つの条件が存在するかどうかに基づいて、前記第１のサブフレームスロットにおける前記第１のＤＭ−ＲＳを使用して、または前記第１のサブフレームスロットにおける前記第１のＤＭ−ＲＳおよび前記第２のサブフレームスロットにおける前記第２のＤＭ−ＲＳの両方を使用して、前記第１のサブフレームスロットにおける前記少なくとも１つのダウンリンクチャネルを復調するかどうかを決定することと
を行うためのコードを備える、コンピュータ読取り可能媒体。
【請求項３０】
前記条件は、前記第１のサブフレームスロットにおける前記少なくとも１つのダウンリンクチャネルを復調するために前記第２のサブフレームスロットにおける前記第２のＤＭ−ＲＳを使用するためのインジケーションを備える、請求項２９に記載のコンピュータ読取り可能媒体。
【発明の詳細な説明】
【米国特許法１１９条（ｅ）項に基づく優先権】
【０００１】
[0001]本特許出願は、「DOWNLINK OPERATIONS WITH SHORTENED TRANSMISSION TIME INTERVALS」と題され、２０１６年１２月２日に出願された非仮特許出願第１５／３６８，４４４号、および「DOWNLINK OPERATIONS WITH SHORTENED TRANSMISSION TIME INTERVALS」と題され、２０１６年２月１６日に出願された仮特許出願第６２／２９５，７４５号に基づく優先権を主張し、それらは、本願の譲受人に譲渡され、これにより、すべての目的のために参照によって本願明細書において明確に組み込まれる。
【背景技術】
【０００２】
[0002]本開示は、一般に、通信システムに関し、より具体的には、ワイヤレス通信システムにおける１つまたは複数のユーザ機器（ＵＥ）の通信を管理するための短縮された送信時間間隔（ＴＴＩ）を有するダウンリンク動作に関する。
【０００３】
[0003]ワイヤレス通信システムは、電話通信、映像、データ、メッセージング、およびブロードキャストのような、様々な電気通信サービスを提供するために幅広く展開されている。典型的なワイヤレス通信システムは、利用可能なシステムリソースを共有することによって複数のユーザとの通信をサポートすることが可能な多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なる複数のワイヤレスデバイスに、地方自治体レベル、全国レベル、地域レベル、さらには世界レベルで通信することを可能にさせる共通のプロトコルを提供するために、様々な電気通信規格において採用されてきた。例となる電気通信規格は、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）のモバイル規格の拡張型（enhancements to）のセットである。ＬＴＥは、ダウンリンク上でＯＦＤＭＡ、アップリンク上でＳＣ−ＦＤＭＡ、および多入力多出力（ＭＩＭＯ）アンテナ技術を使用して、改善されたスペクトル効率、下げられたコスト、改善されたサービスを通じたモバイルブロードバンドアクセスをサポートするように設計されている。しかしながら、モバイルブロードバンドアクセスを求める需要が高まり続けるにつれ、ＬＴＥ技術においてさらなる改善の必要性が存在する。これらの改善はまた、これらの技術を用いる他の多元接続技術および電気通信規格に適用可能であり得る。
【０００５】
[0005]レガシＬＴＥを用いるワイヤレス通信システムにおいて、特定のｅＮｏｄｅＢによってサービスされる複数のＵＥは、物理ダウンリンク共有チャネル（ＰＤＳＣＨ）と呼ばれる共有ダウンリンクチャネル上でｅＮｏｄｅＢからデータを受信し得る。加えて、ＰＤＳＣＨに関連付けられた制御情報は、物理ダウンリンク制御チャネル（ＰＤＣＣＨ）および／または拡張ＰＤＣＣＨ（ｅＰＤＣＣＨ）を介して、ｅＮｏｄｅＢによってＵＥに送信され得る。ＰＤＣＣＨまたはｅＰＤＣＣＨに含まれる制御情報は、ＬＴＥサブフレームに関する１つまたは複数のアップリンクまたはダウンリンクリソース要素（ＲＥ）グラントを含み得る。レガシＬＴＥにおいて、各ＬＴＥサブフレームは、１ｍｓの送信時間間隔（ＴＴＩ）を有し、２つの０．５ｍｓのスロットに分割される。例えば、ＵＥ固有の基準信号（ＲＳ）は、一旦、ＵＥとｅＮｏｄｅＢとの間の同期が完了すると、送信信号構造に挿入され得る。ＵＥ固有のＲＳは、それに関してＰＤＳＣＨがマッピングされるリソースブロック（ＲＢ）にだけ埋め込まれ（embedded in）得、送信される場合、ＵＥは、ＰＤＳＣＨ  ＲＢにおけるデータを復調するためのチャネル推定値を導出するためにＲＳを使用することが期待される。ＲＳは、ダウンリンク電力に関して基準点を提供し得、ＵＥとｅＮｏｄｅＢとの間の送信のためにビームフォーミングをイネーブルし得る。しかしながら、リソーススケジューリングに関する増加する複雑さに起因して、ＲＳ管理の柔軟性の増加が、ダウンリンク通信チャネルの復調のために望ましい。
【０００６】
[0006]そうであるため、ワイヤレス通信システムにおいて１つまたは複数のＵＥの通信を管理するための基準信号の利用の改善が必要とされる。
【発明の概要】
【０００７】
[0007]以下は、そのような態様の基本的な理解を提供するために、１つまたは複数の態様の簡略化された概要を提示する。この概要は、全ての熟考された態様の広範な概観ではなく、全ての態様の鍵となるもしくは重要な要素を識別することも、任意のまたは全ての態様の範囲を詳細に叙述することも意図されていない。その唯一の目的は、後に提示されるさらなる詳細な説明への序文として、簡略化された形態で１つまたは複数の態様のいくつかの概念を提示することである。
【０００８】
[0008]一態様に従って、方法は、ワイヤレス通信システムにおいて１つまたは複数のＵＥの通信を管理するための基準信号の条件付き利用を含む。説明された態様は、第１のサブフレームスロットおよび第２のサブフレームスロットを有する送信を受信することを含み、ここにおいて、第１のサブフレームスロットおよび第２のサブフレームスロットのうちの少なくとも１つは、シングルスロットの送信時間間隔（ＴＴＩ）を有する。説明された態様は、第１のサブフレームスロットにおいて第１の復調基準信号（ＤＭ−ＲＳ）を、および第２のサブフレームスロットにおいて第２のＤＭ−ＲＳを検出することをさらに含む。説明された態様は、第１のサブフレームスロットにおける少なくとも１つのダウンリンクチャネルを復調するために、第２のサブフレームスロットにおける第２のＤＭ−ＲＳを使用することに対して、少なくとも１つの条件が存在するかどうかを、プロセッサを介して、決定することをさらに含む。説明された態様は、少なくとも１つの条件が存在するかどうかに基づいて、第１のサブフレームスロットにおける第１のＤＭ−ＲＳを使用して、第１のサブフレームスロットにおける少なくとも１つのダウンリンクチャネルを復調するかどうか、または第１のサブフレームスロットにおける第１のＤＭ−ＲＳおよび第２のサブフレームスロットにおける第２のＤＭ−ＲＳの両方を復調するかどうかを決定することをさらに含む。
【０００９】
[0009]別の態様において、ワイヤレス通信システムにおいて１つまたは複数のＵＥの通信を管理するための基準信号の条件付き利用のための装置は、トランシーバ、メモリ、およびメモリに結合され、および、第１のサブフレームスロットおよび第２のサブフレームスロットを有する送信を、トランシーバを介して、受信するように構成された少なくとも１つのプロセッサを含み得、ここにおいて、第１のサブフレームスロットおよび第２のサブフレームスロットのうちの少なくとも１つは、シングルスロットのＴＴＩを有する。説明された態様は、第１のサブフレームスロットにおいて第１のＤＭ−ＲＳを、および第２のサブフレームスロットにおいて第２のＤＭ−ＲＳをさらに検出する。説明された態様は、第１のサブフレームスロットにおける少なくとも１つのダウンリンクチャネルを復調するために、第２のサブフレームスロットにおける第２のＤＭ−ＲＳを使用することに対して、少なくとも１つの条件が存在するかどうかをさらに決定する。説明された態様は、少なくとも１つの条件が存在するかどうかに基づいて、第１のサブフレームスロットにおける第１のＤＭ−ＲＳを使用して、第１のサブフレームスロットにおける少なくとも１つのダウンリンクチャネルを復調するかどうか、または第１のサブフレームスロットにおける第１のＤＭ−ＲＳおよび第２のサブフレームスロットにおける第２のＤＭ−ＲＳの両方を復調するかどうかをさらに決定する。
【００１０】
[0010]別の態様において、コンピュータ読取り可能媒体は、ワイヤレス通信システムにおいて１つまたは複数のＵＥの通信を管理するための基準信号の条件付き利用のためのコンピュータ実行可能コードを記憶し得る。説明された態様は、第１のサブフレームスロットおよび第２のサブフレームスロットを有する送信を受信するためのコードを含み、ここにおいて、第１のサブフレームスロットおよび第２のサブフレームスロットのうちの少なくとも１つは、シングルスロットのＴＴＩを有する。説明された態様は、第１のサブフレームスロットにおいて第１のＤＭ−ＲＳを、および第２のサブフレームスロットにおいて第２のＤＭ−ＲＳを検出するためのコードをさらに含む。説明された態様は、第１のサブフレームスロットにおける少なくとも１つのダウンリンクチャネルを復調するために、第２のサブフレームスロットにおける第２のＤＭ−ＲＳを使用することに対して、少なくとも１つの条件が存在するかどうかを、プロセッサを介して、決定するためのコードをさらに含む。説明された態様は、少なくとも１つの条件が存在するかどうかに基づいて、第１のサブフレームスロットにおける第１のＤＭ−ＲＳを使用して、第１のサブフレームスロットにおける少なくとも１つのダウンリンクチャネルを復調するかどうか、または第１のサブフレームスロットにおける第１のＤＭ−ＲＳおよび第２のサブフレームスロットにおける第２のＤＭ−ＲＳの両方を復調するかどうかを決定するためのコードをさらに含む。
【００１１】
[0011]別の態様において、ワイヤレス通信システムにおいて１つまたは複数のＵＥの通信を管理するための基準信号の条件付き利用のための装置は、第１のサブフレームスロットおよび第２のサブフレームスロットを有する送信を受信するための手段を含み得、ここにおいて、第１のサブフレームスロットおよび第２のサブフレームスロットのうちの少なくとも１つは、シングルスロットのＴＴＩを有する。説明された態様は、第１のサブフレームスロットにおいて第１のＤＭ−ＲＳを、および第２のサブフレームスロットにおいて第２のＤＭ−ＲＳを検出するための手段をさらに含む。説明された態様は、第１のサブフレームスロットにおける少なくとも１つのダウンリンクチャネルを復調するために、第２のサブフレームスロットにおける第２のＤＭ−ＲＳを使用することに対して、少なくとも１つの条件が存在するかどうかを、プロセッサを介して、決定するための手段をさらに含む。説明された態様は、少なくとも１つの条件が存在するかどうかに基づいて、第１のサブフレームスロットにおける第１のＤＭ−ＲＳを使用して、第１のサブフレームスロットにおける少なくとも１つのダウンリンクチャネルを復調するかどうか、または第１のサブフレームスロットにおける第１のＤＭ−ＲＳおよび第２のサブフレームスロットにおける第２のＤＭ−ＲＳの両方を復調するかどうかを決定するための手段をさらに含む。
【００１２】
[0012]先述のおよび関連する目的の達成に向けて、１つまたは複数の態様は、以下で十分に説明され、請求項において具体的に指摘される特徴を備える。以下の説明および添付図面は、１つまたは複数の態様のある特定の例示的な特徴を詳細に記載する。しかしながら、これらの特徴は、様々な態様の原理が用いられ得る様々なやり方のうちのほんの少数を示し、本説明は、全てのこのような態様およびそれらの同等物を含むように意図される。
【図面の簡単な説明】
【００１３】
[0013]添付図面は、本開示の様々な態様の記述に役立つために提示され、また、それらの制限ではなく、態様の例示のためだけに提供される。図面は、同様の要素に関して同様の参照番号を含み、破線を使用して、随意的なコンポーネント、またはアクションを表し得る。
【図１】[0014]図１は、本開示の様々な態様に従った、別のスロットにおける受信された送信に関して、１つのスロットにおける基準信号の条件付き利用を管理するための、ここにおいて説明されるような基準信号利用コンポーネントの態様を有するＵＥを含むアクセスネットワークおよびワイヤレス通信システムの例を例示する図である。
【図２Ａ】[0015]図２Ａは、ＤＬフレーム構造のＬＴＥの例を例示する図である。
【図２Ｂ】図２Ｂは、ＤＬフレーム構造内のＤＬチャネルのＬＴＥの例を例示する図である。
【図２Ｃ】図２Ｃは、ＵＬフレーム構造のＬＴＥの例を例示する図である。
【図２Ｄ】図２Ｄは、ＵＬフレーム構造内のＵＬチャネルのＬＴＥの例を例示する図である。
【図３】[0016]図３は、アクセスネットワークにおける発展型ＮｏｄｅＢ（ｅＮＢ）およびユーザ機器（ＵＥ）の例を例示する図であり、ここで、ＵＥは、別のスロットにおける受信された送信に関して、１つのスロットにおける基準信号の条件付き利用を管理するための、および／または本開示の様々な態様に従い対応する、ここにおいて説明されるような基準信号利用コンポーネントの態様を含む。
【図４】[0017]図４は、別のスロットにおける受信された送信に関して、１つのスロットにおける基準信号の条件付き利用を管理するための基準信号利用コンポーネントの一態様を有する、および／または本開示の様々な態様に従い対応する、ユーザ機器を含むワイヤレス通信システムの概略図である。
【図５】[0018]図５は、本開示の様々な態様に従った、ダウンリンクサブフレーム構造の一態様を例示する図である。
【図６】[0019]図６は、本開示の様々な態様に従った、スロットのＴＴＩ（例えば、０．５ｍｓＴＴＩ）に関するＤＭ−ＲＳパターンを有するダウンリンクサブフレーム構造の一態様を例示する図である。
【図７】[0020]図７は、本開示の様々な態様に従った、異なるマルチユーザ多入力多出力（ＭＵ−ＭＩＭＯ）を有するダウンリンクサブフレーム構造の一態様を例示する図である。
【図８】[0021]図８は、本開示の様々な態様に従った、スロットに渡るＤＭ−ＲＳ利用を有するダウンリンクサブフレーム構造の一態様を例示する図である。
【図９】[0022]図９は、本開示の様々な態様に従った、ＤＭ−ＲＳのための１つまたは複数の仮想スロットの一態様を例示する図である。
【図１０】[0023]図１０は、別のスロットにおける受信された送信に関して、１つのスロットにおける基準信号の条件付き利用を管理するための一態様のフロー図であり、それは、図４の基準信号利用コンポーネントによって実行され得る。
【図１１】[0024]図１１は、本開示の様々な態様に従った、別のスロットにおける受信された送信に関して、１つのスロットにおける基準信号の条件付き利用を管理するための基準信号利用コンポーネントを含む例となる装置における、異なる手段／コンポーネント間のデータフローを例示する概念データフロー図である。
【図１２】[0025]図１２は、本開示の様々な態様に従った、別のスロットにおける受信された送信に関して、１つのスロットにおける基準信号の利用を管理するための基準信号利用コンポーネントを含む処理システムを採用する装置のためのハードウェアインプリメンテーションの例を例示する図である。
【発明の詳細な説明】
【００１４】
[0026]添付された図面に関連して以下に記載される詳細な説明は、様々な構成の説明として意図され、ここに説明される概念が実施され得る唯一の構成を表すことを意図されてはいない。詳細な説明は、様々な概念の完全な理解を提供する目的で具体的な詳細を含む。しかしながら、これらの概念がこれらの具体的な詳細なく実施され得ることは、当業者には明らかであるだろう。いくつかの実例において、周知の構造およびコンポーネントが、このような概念を曖昧にすることを避けるために、ブロック図形式で示される。
【００１５】
[0027]電気通信システムのいくつかの態様がここから、様々な装置および方法を参照して提示されることになる。これらの装置および方法は、以下の詳細な説明中で説明され、様々なブロック、コンポーネント、回路、ステップ、プロセス、アルゴリズム、等（集合的には、「要素」と呼ばれる）によって添付の図面中で例示されることになる。これらの要素は、電子ハードウェア、コンピュータソフトウェア、またはそれらの任意の組合せを使用してインプリメントされ得る。そのような要素が、ハードウェアとしてインプリメントされるか、またはソフトウェアとしてインプリメントされるかは、システム全体に課される設計制約、および特定のアプリケーションに依存する。
【００１６】
[0028]例として、要素、または要素の任意の部分、あるいは要素の任意の組合せは、１つまたは複数のプロセッサを含む「処理システム」としてインプリメントされ得る。プロセッサの例は、マイクロプロセッサ、マイクロコントローラ、グラフィックス処理ユニット（ＧＰＵ）、中央処理ユニット（ＣＰＵ）、アプリケーションプロセッサ、デジタルシグナルプロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブルロジックデバイス（ＰＬＤ）、ステートマシン、ゲートロジック、ディスクリートハードウェア回路、およびこの開示全体を通じて説明される様々な機能を行うように構成された他の適したハードウェアを含む。処理システムにおける１つまたは複数のプロセッサは、ソフトウェアを実行し得る。ソフトウェアは、ソフトウェア、ファームウェア、ミドルウェア、マイクロコード、ハードウェア記述言語、またはそれ以外の名称で呼ばれるかにかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数（functions）、等を意味するように広く解釈されるべきである。
【００１７】
[0029]それ故に、１つまたは複数の実例的な態様では、説明される機能は、ハードウェア、ソフトウェア、またはそれらの任意の組合せにおいてインプリメントされ得る。ソフトウェアにおいてインプリメントされる場合、それら機能は、コンピュータ読み取り可能媒体上で、１つまたは複数の命令またはコードとして符号化され得るか、またはそれ上に記憶され得る。コンピュータ読取り可能媒体はコンピュータ記憶媒体を含む。記憶媒体は、コンピュータによってアクセスできるあらゆる利用可能な媒体であり得る。限定ではなく例として、こうしたコンピュータ読取り可能媒体は、ランダムアクセスメモリ（ＲＡＭ）、読取専用メモリ（ＲＯＭ）、電気的消去可能プログラマブルＲＯＭ（ＥＥＰＲＯＭ（登録商標））、光学ディスクストレージ、磁気ディスクストレージ、他の磁気記憶デバイス、上述のタイプのコンピュータ読取り可能媒体の組合せ、あるいはコンピュータによってアクセスされることができるデータ構造または命令の形態でコンピュータ実行可能コードを記憶するために使用されることができる任意の他の媒体を備えることができる。
【００１８】
[0030]本開示は、１つまたは複数のＵＥに関して、本明細書で条件付きＤＭ−ＲＳ利用として言及される、別のスロットにおいて受信された送信を復調するために１つのスロットにおいて受信された、例えば、ＤＭ−ＲＳなどの、ダウンリンク基準信号の使用を管理することに関する。本開示のデータ構造は、１つまたは複数のリソース要素ブロックを含み得、それの中に１つまたは複数のダウンリンクチャネルの周波数帯域幅がＬＴＥサブフレームのスロット内で分割される。ＵＥと基地局との間の同期が完了すると、基地局は、１つまたは複数のＵＥ固有の基準信号（例えば、ＤＭ−ＲＳ）をダウンリンクチャネル上の送信信号構造に挿入し得る。例えば、本態様に従って、基準信号は、ＬＴＥサブフレームの第１のスロットのリソース要素および第２のスロットのリソース要素の両方に埋め込まれ得る。本態様に従って動作するＵＥは、少なくとも１つの条件（例えば、明示的なインジケーション、暗黙のインジケーション、無線リソース制御構成、またはダウンリンク制御フォーマット情報）を検出することに基づいて、複数のスロットのうちの１つにおいて受信された基準信号が複数のスロットのもう一方上における送信を復調するために使用され得るかどうかを決定する。言い換えれば、例えば、本態様のＵＥは、少なくとも１つの条件が存在するかどうかに基づいて、第１のサブフレームスロットにおける第１のＤＭ−ＲＳを使用して、または第１サブフレームスロットにおける第１のＤＭ−ＲＳおよび第２のサブフレームスロットにおける第２のＤＭ−ＲＳの両方を使用して、第１のサブフレームスロットにおける少なくとも１つのダウンリンクチャネルを復調するかどうかを決定する事ができる。例えば、送信が成功した場合、ＵＥは、ＰＤＳＣＨ  ＲＢにおけるデータを復調するためのチャネル推定値を導くためにＤＭ−ＲＳを使用し得る。本態様は、例えば、第１のサブフレームスロットおよび第２のサブフレームスロットのうちの少なくとも１つにおける送信がシングルスロットのＴＴＩを有するシナリオにおいて、有用であり得る。
【００１９】
[0031]そうであるため、本方法および装置は、ワイヤレス通信の間、別のスロットにおいて受信されたダウンリンクチャネルを復調するために１つのスロットからの基準信号の条件付き使用を可能にし得る。したがって、いくつかの態様において、本方法および装置は、例えば、ネットワーク（例えば、ｅＮＢ）がＵＥに追加の基準信号を提供することを可能にし、および／または、受信された送信のチャネル推定および復調を改善するために、ＵＥが追加の基準信号を利用することを可能にするために、現在の解決策と比較して、効率的な解決策を提供し得る。
【００２０】
[0032]図１は、本開示の様々な態様に従った、別のスロットにおける受信された送信に関して、１つのスロットにおける基準信号の使用を管理するための基準信号利用コンポーネント４２０を含むように構成される少なくとも１つのＵＥ１０４を含むワイヤレス通信システムおよびアクセスネットワーク１００の例を例示する図である。（ワイヤレスワイドエリアネットワーク（ＷＷＡＮ）とも呼ばれる）ワイヤレス通信システム１００は、基地局１０２、ＵＥ１０４、および発展型パケットコア（ＥＰＣ：Evolved Packet Core）１６０を含む。基地局１０２は、マクロセル（高出力（high power）セルラ基地局）および／またはスモールセル（低出力（low power）セルラ基地局）を含み得る。マクロセルはｅＮＢを含む。スモールセルは、フェムトセル、ピコセル、およびミクロセルを含む。
【００２１】
[0033]（集合的には、発展型ユニバーサルモバイル電気通信システム（ＵＭＴＳ）地上無線アクセスネットワーク（Ｅ−ＵＴＲＡＮ）と呼ばれる）基地局１０２は、バックホールリンク１３２（例えば、Ｓ１インターフェース）を通じてＥＰＣ１６０とインターフェースする。他の機能に加えて、基地局１０２は、以下の機能：ユーザデータの転送、無線チャネル暗号化および暗号解読、完全性保護、ヘッダ圧縮、モビリティ制御機能（例えば、ハンドオーバ、デュアルコネクティビティ）、セル間干渉協調、接続セットアップおよび解放、負荷バランシング、非アクセス層（ＮＡＳ）メッセージのための分配、ＮＡＳノード選択、同期、無線アクセスネットワーク（ＲＡＮ）共有、マルチメディアブロードキャストマルチキャストサービス（ＭＢＭＳ）、加入者および機器トレース、ＲＡＮ情報管理（ＲＩＭ）、ページング、測位、および警告メッセージの配信、のうちの１つまたは複数を行い得る。基地局１０２は、バックホールリンク１３４（例えば、Ｘ２インターフェース）上で互いに、直接的にまたは（ＥＰＣ１６０を通じて）間接的に通信し得る。バックホールリンク１３４は、有線またはワイヤレスであり得る。
【００２２】
[0034]基地局１０２は、ＵＥ１０４とワイヤレスに通信し得る。基地局１０２の各々は、それぞれの地理的カバレッジエリア１１０に通信カバレッジを提供し得る。重複する地理的カバレッジエリア１１０があり得る。例えば、スモールセル１０２’は、１つまたは複数のマクロ基地局１０２のカバレッジエリア１１０と重複するカバレッジエリア１１０’を有し得る。スモールセルとマクロセルとの両方を含むネットワークは、異種ネットワークとして知られ得る。異種ネットワークはまた、クローズド加入者グループ（ＣＳＧ）として知られる制限されたグループにサービスを提供し得る、ホーム発展型ＮｏｄｅＢ（ｅＮＢ）（ＨｅＮＢ）を含み得る。基地局１０２とＵＥ１０４との間の通信リンク１２０は、ＵＥ１０４から基地局１０２までのアップリンク（ＵＬ）（逆方向リンクとも呼ばれる）送信、および／または基地局１０２からＵＥ１０４までのダウンリンク（ＤＬ）（順方向リンクとも呼ばれる）送信を含み得る。通信リンク１２０は、空間多重化、ビームフォーミング、および／または送信ダイバーシチを含む、ＭＩＭＯアンテナ技術を使用し得る。通信リンクは、１つまたは複数のキャリアを通っていることがある。基地局１０２／ＵＥ１０４は、各方向への送信のために使用される最大で合計ＹｘＭＨｚ（ｘ個のコンポーネントキャリア）のキャリアアグリゲーションにおいて割り振られるキャリア毎に、最大ＹＭＨｚ（たとえば、５、１０、１５、２０ＭＨｚ）帯域幅のスペクトルを使用し得る。キャリアの割り振りは、ＤＬおよびＵＬに関して非対称であり得る（例えば、ＵＬに対してよりもＤＬに対して、より多くのまたはより少ないキャリアが割り振られ得る）。コンポーネントキャリアは、プライマリコンポーネントキャリアと、１つまたは複数のセカンダリコンポーネントキャリアとを含み得る。プライマリコンポーネントキャリアは、プライマリセル（ＰＣｅｌｌ）と呼ばれ得、セカンダリコンポーネントキャリアは、セカンダリセル（ＳＣｅｌｌ）と呼ばれ得る。
【００２３】
[0035]ワイヤレス通信システム１００は、５ＧＨｚのアンライセンスの周波数スペクトルにおいて通信リンク１５４を介してＷｉ−Ｆｉ局（ＳＴＡ）１５２と通信中のＷｉ−Ｆｉアクセスポイント（ＡＰ）１５０をさらに含み得る。アンライセンスの周波数スペクトルにおいて通信するとき、ＳＴＡ１５２／ＡＰ１５０は、チャネルが利用可能かどうかを決定するために、通信することより前にクリアチャネル評価（ＣＣＡ）を行い得る。
【００２４】
[0036]スモールセル１０２’は、ライセンスのおよび／またはアンライセンスの周波数スペクトルにおいて動作し得る。アンライセンスの周波数スペクトルにおいて動作するとき、スモールセル１０２’は、ＬＴＥを用い得、Ｗｉ−Ｆｉ  ＡＰ１５０によって使用されるのと同じ５ＧＨｚのアンライセンスの周波数スペクトルを使用し得る。スモールセル１０２’は、アンライセンスの周波数スペクトルにおいてＬＴＥを用いて、アクセスネットワークへのカバレッジを増強（boost）させ得る、および／またはアクセスネットワークの能力を高め得る。アンライセンスのスペクトルにおけるＬＴＥは、ＬＴＥアンライセンスの（ＬＴＥ−Ｕ）、ライセンス補助アクセス（ＬＡＡ：licensed assisted access）、またはＭｕＬＴＥｆｉｒｅと呼ばれ得る。
【００２５】
[0037]ＥＰＣ１６０は、モビリティ管理エンティティ（ＭＭＥ）１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンタ（ＢＭ−ＳＣ）１７０、およびパケットデータネットワーク（ＰＤＮ）ゲートウェイ１７２を含み得る。ＭＭＥ１６２は、ホーム加入者サーバ（ＨＳＳ）１７４と通信中であり得る。ＭＭＥ１６２は、ＵＥ１０２とＥＰＣ１６０との間のシグナリングを処理する制御ノードである。一般に、ＭＭＥ１６２は、ベアラおよび接続管理を提供する。全てのユーザインターネットプロトコル（ＩＰ）パケットが、サービングゲートウェイ１６６を通じて転送され、それ自体が、ＰＤＮゲートウェイ１７２に接続されている。ＰＤＮゲートウェイ１７２は、ＵＥ  ＩＰアドレス割り振り、ならびに他の機能も提供する。ＰＤＮゲートウェイ１７２およびＢＭ−ＳＣ１７０は、ＩＰサービス１７６に接続されている。ＩＰサービス１７６は、インターネット、イントラネット、ＩＰマルチメディアサブシステム（ＩＭＳ）、ＰＳストリーミングサービス（ＰＳＳ）、および／または他のＩＰサービスを含み得る。ＢＭ−ＳＣ１７０は、ＭＢＭＳユーザサービスプロビジョニングおよび配信のための機能を提供し得る。ＢＭ−ＳＣ１７０は、コンテンツプロバイダＭＢＭＳ送信のためのエントリポイントとして仕え得、地上波公共移動通信ネットワーク（ＰＬＭＮ）内でＭＢＭＳベアラサービスを認証および開始するために使用され得、ＭＢＭＳ送信をスケジューリングするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを分配するために使用され得、セッション管理（開始／停止）およびｅＭＢＭＳ関連課金情報を集めることを担い（responsible for）得る。
【００２６】
[0038]基地局はまた、ＮｏｄｅＢ、アクセスポイント、基地トランシーバ局、無線基地局、無線トランシーバ、トランシーバ機能、ベーシックサービスセット（ＢＳＳ）、拡張サービスセット（ＥＳＳ）、または何らかの他の適切な用語でも呼ばれ得る。ｅＮＢ１０６は、ＵＥ１０２に、ＥＰＣ１１０へのアクセスポイントを提供する。ＵＥ１０２の例は、セルラフォン、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレイヤ（例えば、ＭＰ３プレイヤ）、カメラ、ゲーム機、タブレット、スマートデバイス、ウェアラブルデバイス、または任意の他の類似の機能するデバイスを含む。ＵＥ１０２はまた、局、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語でも呼ばれ得る。
【００２７】
[0039]図２Ａは、本開示の様々な態様に従った、別のスロットにおける受信された送信に関して、１つのスロットにおける基準信号の使用を管理するための基準信号利用コンポーネント４２０を含むように構成される少なくとも１つのＵＥ１０４によって受信され得るフレーム構造の例であり得る、ＬＴＥにおけるＤＬフレーム構造の例を例示する図２００である。図２Ｂは、ここで使用され得るＵＥ１０４によって使用され得るＬＴＥにおけるＤＬフレーム構造内のチャネルの例を例示する図２３０である。図２Ｃは、ＵＥ１０４によって使用され得るＬＴＥにおけるＵＬフレーム構造の例を例示する図２５０である。図２Ｄは、ＵＥ１０４によって使用され得るＬＴＥにおけるＵＬフレーム構造内のチャネルの例を例示している図２８０である。他のワイヤレス通信技術は、異なるフレーム構造および／または異なるチャネルを有し得る。ＬＴＥにおいて、フレーム（１０ｍｓ）は、１０個の等しいサイズのサブフレームに分割され得る。各サブフレームは、２つの連続したタイムスロットを含み得る。リソースグリッドは、２つのタイムスロットを表すために使用され得、各タイムスロットは、１つまたは複数の時間コンカレント（time concurrent）なリソースブロック（ＲＢ）（物理ＲＢ（ＰＲＢ）とも呼ばれる）を含む。リソースグリッドは、複数のリソース要素（ＲＥ）に分割される。ＬＴＥにおいて、通常のサイクリックプリフィックスでは、ＲＢは、周波数ドメインにおいて１２個の連続したサブキャリアを、時間ドメインにおいて７つの連続したシンボルを（ＤＬではＯＦＤＭシンボルを、ＵＬではＳＣ−ＦＤＭＡシンボルを）含み、合計８４個のＲＥである。拡張されたサイクリックプリフィックスでは、ＲＢが、周波数ドメインにおいて１２個の連続したサブキャリアを、時間ドメインにおいて６つの連続したシンボルを含み、合計７２個のＲＥである。各ＲＥよって搬送されるビット数は、変調スキームに依存する。
【００２８】
[0040]図２Ａにおいて例示されるように、ＲＥのうちのいくつかは、ＵＥにおけるチャネル推定のためのＤＬ基準（パイロット）信号（ＤＬ−ＲＳ）を搬送する。ＤＬ−ＲＳは、（共通ＲＳと呼ばれることもある）セル固有基準信号（ＣＲＳ）、ＵＥ固有基準信号（ＵＥ−ＲＳ）、およびチャネル状態情報基準信号（ＣＳＩ−ＲＳ）を含み得る。図２Ａは、アンテナポート０、１、２、および３（Ｒ０、Ｒ１、Ｒ２、およびＲ３、とそれぞれ示されている）に関してＣＲＳ、アンテナポート５（Ｒ５と示されている）に関してＵＥーＲＳ、およびアンテナポート１５（Ｒと示されている）に関してＣＳＩ−ＲＳを例示する。図２Ｂは、フレームのＤＬサブフレーム内の様々なチャネルの例を例示する。物理制御フォーマットインジケータチャネル（ＰＣＦＩＣＨ）は、スロット０のシンボル０内にあり、物理ダウンリンク制御チャネル（ＰＤＣＣＨ）が、１つのシンボルを占有するか、２つのシンボルを占有するか、または３つのシンボルを占有するか（図２Ｂは、３つのシンボルを占有するＰＤＣＣＨを例示する）を示す制御フォーマットインジケータ（ＣＦＩ）を搬送する。ＰＤＣＣＨは、１つまたは複数の制御チャネル要素（ＣＣＥ）内でダウンリンク制御情報（ＤＣＩ）を搬送し、各ＣＣＥは、９つのＲＥグループ（ＲＥＧ）を含み、各ＲＥＧは、ＯＦＤＭシンボルにおいて４つの連続したＲＥを含む。ＵＥは、ＤＣＩもまた搬送するＵＥ固有の拡張ＰＤＣＣＨ（ｅＰＤＣＣＨ）で構成され得る。ｅＰＤＣＣＨは、２つ、４つ、または８つのＲＢペアを有し得る（図２Ｂは、２つのＲＢペアを図示し、各サブセットは、１つのＲＢペアを含む）。物理ハイブリット自動再送要求（ＡＲＱ）（ＨＡＲＱ）インジケータチャネル（ＰＨＩＣＨ）もまた、スロット０のシンボル０内にあり、物理アップリンク共有チャネル（ＰＵＳＣＨ）に基づいて、ＨＡＲＱ肯定応答（acknowledgement）（ＡＣＫ）／否定ＡＣＫ（ＮＡＣＫ）フィードバックを示すＨＡＲＱインジケータ（ＨＩ）を搬送する。プライマリ同期チャネル（ＰＳＣＨ）は、フレームのサブフレーム０および５内のスロット０のシンボル６内にあり、サブフレームタイミングおよび物理レイヤ識別情報（identity）を決定するためにＵＥによって使用されるプライマリ同期信号（ＰＳＳ）を搬送する。セカンダリ同期チャネル（ＳＳＣＨ）は、フレームのサブフレーム０および５内のスロット０のシンボル５内にあり、物理レイヤセル識別グループ番号を決定するためにＵＥによって使用されるセカンダリ同期信号（ＳＳＳ）を搬送する。物理レイヤ識別および物理レイヤセル識別グループ番号に基づいて、ＵＥは、物理セル識別子（ＰＣＩ）を決定することができる。ＰＣＩに基づいて、ＵＥは、上述のＤＬ−ＲＳのロケーションを決定することができる。物理ブロードキャストチャネル（ＰＢＣＨ）は、フレームのサブフレーム０のスロット１のシンボル０、１、２、３内にあり、マスタ情報ブロック（ＭＩＢ）を搬送する。ＭＩＢは、ＤＬシステム帯域幅におけるＲＢの数、ＰＨＩＣＨ構成、およびシステムフレーム番号（ＳＦＮ）を提供する。物理ダウンリンク共有チャネル（ＰＤＳＣＨ）は、ユーザデータ、システム情報ブロック（ＳＩＢ）のようなＰＢＣＨを通じて送���されないブロードキャストシステム情報、およびページングメッセージを搬送する。
【００２９】
[0041]図２Ｃにおいて例示されるように、ＲＥのうちのいくつかは、ｅＮＢにおけるチャネル推定のための復調基準信号（ＤＭ−ＲＳ）を搬送する。ＵＥは、追加的に、サブフレームの最後のシンボル中でサウンディング基準信号（ＳＲＳ）を送信し得る。ＳＲＳはコーム構造を有し得、ＵＥは、コームのうちの１つ上でＳＲＳを送信し得る。ＳＲＳは、ＵＬ上での周波数依存スケジューリングを可能とするために、チャネル品質推定のためにｅＮＢによって使用され得る。図２Ｄは、フレームのＵＬサブフレーム内の様々なチャネルの例を例示する。物理ランダムアクセスチャネル（ＰＲＡＣＨ）は、ＰＲＡＣＨ構成に基づくフレーム内の１つまたは複数のサブフレーム内にあり得る。ＰＲＡＣＨは、サブフレーム内に６つの連続したＲＢペアを含み得る。ＰＲＡＣＨは、ＵＥが初期システムアクセスを行い、ＵＬ同期を達成することを可能にする。物理アップリンク制御チャネル（ＰＵＣＣＨ）は、ＵＬシステム帯域幅の両端（edges）に位置し（located）得る。ＰＵＣＣＨは、スケジューリング要求、チャネル品質インジケータ（ＣＱＩ）、プリコーディングマトリクスインジケータ（ＰＭＩ）、ランクインジケータ（ＲＩ）、およびＨＡＲＱ  ＡＣＫ／ＮＡＣＫフィードバックのような、アップリンク制御情報（ＵＣＩ）を搬送する。ＰＵＳＣＨはデータを搬送し、追加的に、バッファステータスレポート（ＢＳＲ）、パワーヘッドルームレポート（ＰＨＲ）、および／またはＵＣＩを搬送するために使用され得る。
【００３０】
[0042]図３は、アクセスネットワークにおいてＵＥ１０４と通信状態にあるｅＮＢ３１０のブロック図である。一態様において、ＵＥ１０４は、基準信号利用コンポーネント４２０を含むように構成され得、それは、図４に関してより詳細に下記に説明される。一態様において、基準信号利用コンポーネント４２０は、別のスロットにおける受信された送信に関する、１つのスロットにおける基準信号の使用を管理するように構成され得る。ＤＬでは、ＥＰＣ１６０からのＩＰパケットは、コントローラ／プロセッサ３７５に提供され得る。コントローラ／プロセッサ３７５は、レイヤ３およびレイヤ２の機能性をインプリメントする。レイヤ３は、無線リソース制御（ＲＲＣ）レイヤを含み、レイヤ２は、パケットデータコンバージェンスプロトコル（ＰＤＣＰ）レイヤ、無線リンク制御（ＲＬＣ）レイヤ、および媒体アクセス制御（ＭＡＣ）レイヤを含む。コントローラ／プロセッサ３７５は、システム情報（例えば、ＭＩＢ、ＳＩＢ）をブロードキャストすること、ＲＲＣ接続制御（例えば、ＲＲＣ接続ページング、ＲＲＣ接続確立、ＲＲＣ接続修正、およびＲＲＣ接続解放）、無線アクセス技術（ＲＡＴ）間モビリティ、ＵＥ測定報告に関する測定構成に関連付けられたＲＲＣレイヤ機能；ヘッダ圧縮／圧縮解除、セキュリティ（暗号化、暗号解読、インテグリティ保護、インテグリティ検証）、およびハンドオーバサポート機能に関連付けられたＰＤＣＰレイヤ機能；上位レイヤパケットデータユニット（ＰＤＵ）の転送、ＡＲＱを通じた誤り訂正、ＲＬＣサービスデータユニット（ＳＤＵ）の連結、セグメント化、および再構築（reassembly）、ＲＬＣデータＰＤＵの再セグメント化、およびＲＬＣデータＰＤＵの再順序付けに関連付けられたＲＬＣレイヤ機能；ならびに論理チャネルとトランスポートチャネルとの間でのマッピング、トランスポートブロック（ＴＢ）上へのＭＡＣ  ＳＤＵの多重化、ＴＢからのＭＡＣ  ＳＤＵの逆多重化、スケジューリング情報報告、ＨＡＲＱを通じた誤り訂正、優先度処理（priority handling）、および論理チャネル優先順位付けに関連付けられたＭＡＣレイヤ機能を提供する。
【００３１】
[0043]送信（ＴＸ）プロセッサ３１６および受信（ＲＸ）プロセッサ３７０は、様々な信号処理機能に関連付けられたレイヤ１の機能をインプリメントする。物理（ＰＨＹ）レイヤを含む、レイヤ１は、トランスポートチャネル上での誤り検出、トランスポートチャネルの前方誤り訂正（ＦＥＣ）符号化／復号化、インタリービング、レートマッチング、物理チャネル上へのマッピング、物理チャネルの変調／復調、およびＭＩＭＯアンテナ処理を含み得る。ＴＸプロセッサ３１６は、様々な変調スキーム（例えば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づいて信号コンステレーションにマッピングすることを扱う。符号化および変調されたシンボルはその後、並列ストリームに分けられ得る。その後、各ストリームは、ＯＦＤＭサブキャリアにマッピングされ、時間および／または周波数ドメインにおいて基準信号（例えば、パイロット）と多重化され、その後、逆高速フーリエ変換（ＩＦＦＴ）を使用して共に組み合わされて、時間ドメインＯＦＤＭシンボルストリームを搬送する物理チャネルを生成する。ＯＦＤＭストリームは、複数の空間ストリームを作り出すために空間的にプリコーディングされる。チャネル推定器３７４からのチャネル推定値は、空間処理のためだけでなく、符号化および変調スキームを決定するために使用され得る。チャネル推定値は、ＵＥ１０４によって送信されたチャネル状態フィードバックおよび／または参照信号から導出され得る。各空間ストリームはその後、別個の送信機３１８ＴＸを介して異なるアンテナ３２０に提供され得る。各送信機３１８ＴＸは、送信のためにそれぞれの空間ストリームでＲＦキャリアを変調し得る。
【００３２】
[0044]ＵＥ１０４において、各受信機３５４ＲＸは、それのそれぞれのアンテナ３５２を通じて信号を受信する。各受信機３５４ＲＸは、ＲＦキャリア上に変調された情報を復元し、受信（ＲＸ）プロセッサ３５６にこの情報を提供する。ＴＸプロセッサ３６８およびＲＸプロセッサ３５６は、様々な信号処理機能に関連付けられたレイヤ１の機能性をインプリメントする。ＲＸプロセッサ３５６は、ＵＥ１０４に宛てられたいずれの空間ストリームも復元するために、当該情報に対して空間処理を行い得る。複数の空間ストリームがＵＥ１０４に宛てられている場合、それらは、ＲＸプロセッサ３５６によって組み合わされて単一のＯＦＤＭシンボルストリームになり得る。ＲＸプロセッサ３５６はその後、高速フーリエ変換（ＦＦＴ）を使用して、ＯＦＤＭシンボルストリームを時間ドメインから周波数ドメインにコンバートする。周波数ドメイン信号は、ＯＦＤＭ信号の各サブキャリア毎に別個のＯＦＤＭシンボルストリームを備える。各サブキャリア上のシンボル、および基準信号は、ｅＮＢ３１０によって送信された最も可能性の高い信号コンステレーションポイントを決定することによって復元されおよび復調される。これらの軟判定は、チャネル推定器３５８によって計算されたチャネル推定値に基づき得る。軟判定はその後、物理チャネル上でｅＮＢ３１０によって元々（originally）送信されたデータおよび制御信号を復元するために、復号されおよびデインタリーブされる。データおよび制御信号はその後、コントローラ／プロセッサ３５９に提供され、それはレイヤ３およびレイヤ２の機能をインプリメントする。
【００３３】
[0045]コントローラ／プロセッサ３５９は、プログラムコードおよびデータを記憶するメモリ３６０に関連付けられることができる。メモリ３６０は、コンピュータ読取り可能媒体と呼ばれ得る。ＵＬにおいて、コントローラ／プロセッサ３５９は、ＥＰＣ１６０からのＩＰパケットを復元するために、トランスポートチャネルと論理チャネルとの間での逆多重化、パケット再構築、暗号解読、ヘッダ圧縮解除、制御信号処理を提供する。コントローラ／プロセッサ３５９はまた、ＨＡＲＱ動作をサポートするために、ＡＣＫおよび／またはＮＡＣＫプロトコルを使用する誤り検出を担う。
【００３４】
[0046]ｅＮＢ３１０によるＤＬ送信に関連して説明された機能と同様に、コントローラ／プロセッサ３５９は、システム情報（例えば、ＭＩＢ、ＳＩＢ）獲得、ＲＲＣ接続、および測定報告に関連付けられたＲＲＣレイヤの機能；ヘッダ圧縮／解凍、およびセキュリティ（暗号化、暗号解読、インテグリティ保護、インテグリティ検証）に関連付けられたＰＤＣＰレイヤの機能；上位レイヤＰＤＵの転送、ＡＲＱを通じた誤り訂正、ＲＬＣ  ＳＤＵの連結、セグメント化、および再構築、ＲＬＣデータＰＤＵの再セグメント化、およびＲＬＣデータＰＤＵの再順序付けに関連付けられたＲＬＣレイヤの機能；ならびに論理チャネルとトランスポートチャネルとの間でのマッピング、ＴＢ上へのＭＡＣ  ＳＤＵの多重化、ＴＢからのＭＡＣ  ＳＤＵの逆多重化、スケジューリング情報レポーティング、ＨＡＲＱを通じた誤り訂正、優先度処理、および論理チャネル優先順位付けに関連付けられたＭＡＣレイヤ機能を提供する。
【００３５】
[0047]ｅＮＢ３１０によって送信されたフィードバックまたは基準信号からチャネル推定器３５８によって導出されたチャネル推定値は、適切な符号化および変調スキームを選択することと、空間処理を容易にすることとを行うために、ＴＸプロセッサ３６８によって使用され得る。ＴＸプロセッサ３６８によって生成された複数の空間ストリームは、別々の複数の送信機３５４ＴＸを介して異なるアンテナ３５２に提供され得る。各送信機３５４ＴＸは、送信用のそれぞれの空間ストリームを用いてＲＦキャリアを変調し得る。
【００３６】
[0048]ＵＬ送信は、ＵＥ１０４における受信機機能に関連して説明されたのと類似の方法でｅＮＢ３１０において処理される。各受信機３１８ＲＸは、それのそれぞれのアンテナ３２０を通じて信号を受信する。各受信機３１８ＲＸは、ＲＦキャリア上に変調された情報を復元し、ＲＸプロセッサ３７０にこの情報を提供する。
【００３７】
[0049]コントローラ／プロセッサ３７５は、プログラムコードおよびデータを記憶するメモリ３７６に関連付けられることができる。メモリ３７６は、コンピュータ読取り可能媒体と呼ばれ得る。ＵＬにおいて、コントローラ／プロセッサ３７５は、ＵＥ１０４からのＩＰパケットを復元するために、トランスポートチャネルと論理チャネルとの間での逆多重化、パケット再構築、暗号解読、ヘッダ圧縮解除、制御信号処理を提供する。コントローラ／プロセッサ３７５からのＩＰパケットは、ＥＰＣ１６０に提供され得る。コントローラ／プロセッサ３７５はまた、ＨＡＲＱ動作をサポートするために、ＡＣＫおよび／またはＮＡＣＫプロトコルを使用する誤り検出を担う。
【００３８】
[0050]図４を参照すると、一態様において、ワイヤレス通信システム４００（それは図１のワイヤレス通信システムおよびアクセスネットワーク１００と同じで有り得るか、または類似であり得る）は、少なくとも１つの基地局１０２の通信カバレッジにおいて少なくとも１つのＵＥ１０４を含む。基地局１０２（集合的に、発展型ユニバーサル移動体通信システム（ＵＭＴＳ）地上無線アクセスネットワーク（Ｅ−ＵＴＲＡＮ）と呼ばれる）は、バックホールリンク１３２（例えば、Ｓ１インターフェース）を通じて（図１のＥＰＣ１６０のような）ＥＰＣとインターフェース接続する。一態様において、ＵＥ１０４は、別のスロットにおける受信された送信に関して、１つのスロットにおける基準信号の条件付きの基準信号（例えば、ＤＭ−ＲＳ）利用を、ワイヤレス通信の間にそのような基準信号を使用するそのような送信のダウンリンクチャネル復調を含んで、管理するための基準信号利用コンポーネント４２０と共同に動作し得る、１つまたは複数のプロセッサ（図示せず）および、随意に、メモリ（図示せず）を含み得る。ＵＥ１０４と基地局１０２との間のワイヤレス通信は、通信リンク１２０を介して、基地局１０２またはＵＥ１０４のいずれかによって、送信された信号を含み得る。例えば、ワイヤレス通信は、基地局１０２によってＵＥ１０４に送信された１つまたは複数のダウンリンクチャネル１２１−ｂ、およびＵＥ１０４によって基地局１０２に送信された１つまたは複数のアップリンクチャネル１２１−ａを含み得る。
【００３９】
[0051]一態様において、基地局１０２は、１つまたは複数のＵＥ固有の基準信号（例えば、ＤＭ−ＲＳ）をダウンリンクチャネル１２１−ｂ上の送信信号４０２構造に挿入し得る。例えば、ＤＭ−ＲＳは、物理レイヤ上に存在し、かつ、ＵＥがそこにおいて基準信号（例えば、ＤＭ−ＲＳ）の電力を測定することによってダウンリンク電力を決定するダウンリンク電力に関する基準点を届ける。ＤＭ−ＲＳは、各サブフレームスロットにおける複数のリソース要素（ＲＥ）によって、搬送され、これらのＲＥのロケーションは、アンテナポート構成によって、決定される。より具体的には、本態様に従って、基地局１０２は、送信の第１のサブフレームスロットにおける第１の復調基準信号（ＤＭ−ＲＳ）および第２のサブフレームスロットにおける第２のＤＭ−ＲＳを送信し得、ここで、本開示の条件付き基準信号利用の態様は、１つのスロットにおけるＤＭ−ＲＳが異なるスロットにおいて受信された送信を復調するためにＵＥ１０４によって使用されることを可能にする。
【００４０】
[0052]この態様において、ＵＥ１０４および／または基準信号利用コンポーネント４２０は、基地局１０２から、通信リンク１２０のダウンリンクチャネル１２１−ｂ上で送信４０２を受信し得る。送信４０２は、第１のサブフレームスロット４０４および第２のサブフレームスロット４０６を有し得る。いくつかの実例において、サブフレームスロット４０４およびサブフレームスロット４０６のうちの少なくとも１つは、シングルスロットの送信時間間隔（ＴＴＩ）を有し得る。さらに、サブフレームスロット４０４およびサブフレームスロット４０６の各々は、１つまたは複数の基準信号を含み得る。例えば、サブフレームスロット４０４は、ＤＭ−ＲＳ４０８を含み得、サブフレームスロット４０６は、ＤＭ−ＲＳ４１０を含み得る。追加的に、サブフレームスロット４０４およびサブフレームスロット４０６は、同じサブフレームにおいて位置し得るか、または、サブフレームスロット４０４およびサブフレームスロット４０６の各々は、異なるサブフレームにおいて位置し得る。いくつかの実例において、サブフレームスロット４０４は、サブフレームスロット４０６に時間的に先行し（precede）得るか、または、他の例において、サブフレームスロット４０６はサブフレームスロット４０４に時間的に先行し得る。別の態様において、サブフレームスロット４０４は、第１のサブフレームのスロットにおける１つまたは複数のシンボルおよび第２のサブフレームのスロットにおける１つまたは複数のシンボルを含むシンボルのセットを備え得る。その上、ＤＭ−ＲＳ４０８およびＤＭ−ＲＳ４１０は、アンテナポートの同じグループと関連付けられ得る。他の実例において、ＤＭ−ＲＳ４０８は、アンテナポートの第１のグループに対応し得、およびＤＭ−ＲＳ４１０は、アンテナポートの第１のグループとは異なるアンテナポートの第２のグループに対応し得る。ＤＭ−ＲＳ４０８およびＤＭ−ＲＳ４１０は、長さ２、または長さ４の直交カバーコード（ＯＣＣ）に関連付けられ得る。いくつかの実例において、ＤＭ−ＲＳ４０８およびＤＭ−ＲＳ４１０は、各々、異なる長さのＯＣＣに関連付けられ得る。さらに、同じプリコーディングおよび電力が、サブフレームスロット４０４におけるＤＭ−ＲＳ４０８およびサブフレームスロット４０６におけるＤＭ−ＲＳ４１０の両方に使用され得る。
【００４１】
[0053]一態様において、ＵＥ１０４および／または基準信号利用コンポーネント４２０は、検出コンポーネント４２２を含み得、それは、サブフレームスロット４０４においてＤＭ−ＲＳ４０８を、およびサブフレームスロット４０６においてＤＭ−ＲＳ４１０を検出するように構成され得る。例えば、検出コンポーネント４２２は、サブフレームスロット４０４の少なくとも１つのリソースブロックにおいてＤＭ−ＲＳ４０８を検出し得る。検出コンポーネント４２２はまた、サブフレームスロット４０６の少なくとも１つのリソースブロックにおいてＤＭ−ＲＳ４１０を検出し得る。
【００４２】
[0054]別の態様において、ＵＥ１０４および／または基準信号利用コンポーネント４２０は、決定コンポーネント４２４を含み得、それは、サブフレームスロット４０４における少なくとも１つのダウンリンクチャネル１２１−ｂを復調するために、サブフレームスロット４０６におけるＤＭ−ＲＳ４１０を使用することに対して、少なくとも１つの条件が存在するかどうかを決定するように構成され得る。例えば、決定コンポーネント４２４は、サブフレームスロット４０４の少なくとも１つのリソースブロックの各々に関して、およびサブフレームスロット４０６の少なくとも１つのリソースブロックの各々に関して、条件が存在するかどうかを決定し得る。いくつかの態様において、例えば、条件は、サブフレームスロット４０４におけるダウンリンクチャネル１２１−ｂを復調するためにサブフレームスロット４０６におけるＤＭ−ＲＳ４１０を使用するためのインジケーションを備え、または、条件は、サブフレームスロット４０６におけるダウンリンクチャネル１２１−ｂを復調するためにサブフレームスロット４０４におけるＤＭ−ＲＳ４０８を使用するためのインジケーションを備える。別のサブフレームスロットにおけるダウンリンクチャネル１２１−ｂを復調するために１つのサブフレームスロットからのＤＭ−ＲＳを使用するためのインジケーションは、そのような他のＤＭ−ＲＳを使用することに関連付けられた既知の無線リソース制御（ＲＲＣ）構成、または、そのような他のＤＭ−ＲＳを使用することに関連付けられた既知のダウンリンク制御情報（ＤＣＩ）フォーマットのうちの少なくとも１つをさらに備え得る。さらに、他のＤＭ−ＲＳを使用するためのインジケーションはまた、復調のために使用される同じスロットにおける他のリソース要素の識別子を含む。他の実例において、インジケーションは、別のサブフレームスロットにおいて受信された送信を復調するために１つのサブフレームスロットからのＤＭ−ＲＳを使用するためのインジケーションが、ＤＭ−ＲＳを使用することに関連付けられた暗黙のインジケーションを含むという点で、暗黙であり得る。暗黙のインジケーションは、サブフレームスロット４０４または４０６のうちの１つにおいてスケジューリングされた既知のランク送信、または、サブフレームスロットのうちの１つ、例えば、サブフレームスロット４０６、において、もう一方のサブフレームスロット、例えば、サブフレームスロット４０４、におけるスケジュールリングされたデータ送信のために送信される制御信号のうちの少なくとも１つを備え得る。
【００４３】
[0055]ランク適応の一例において、同じランクが、同じサブフレームにおける２つのスロット、または、２つのスロットに渡るアンテナポートの少なくとも同じグループに関して、使用され得る。第１のスロットが、ただアンテナポートの第１のグループ（例えば、７、８、１１、１３）のみを使用する場合、第２のスロットはまた、たとえそれが異なるポートインデックス、または、グループにおけるポートのセットを使用し得るとしても、同じグループを使用できる。第１のスロットがアンテナポートの２つのグループを使用する場合、第２のセットはまた、２つのグループを使用することが必要である。
【００４４】
[0056]その上、ランク適用が、同じサブフレームにおいて２つのスロット上でサポートされる場合、たとえＤＭ−ＲＳ  ＲＥのグループだけが与えられたスロットにおいて送信のために必要とされるとしても、ＰＤＳＣＨレートマッチングは、ＤＭ−ＲＳ  ＲＥの単一のグループの代わりに、ＤＭ−ＲＳ  ＲＥの両方のグループを想定し得る。例えば、スロット０において、ランク１／ポート７のＱＰＤＳＣＨが、スケジューリングされた場合、ただＤＭ−ＲＳ  ＲＥの第１のグループのみがスロット０において必要とされる。スロット１において、ランク３／ポート７〜９のＱＰＳＤＣＨがスケジューリングされる場合、ＤＭ−ＲＳ  ＲＥの両方のグループは、スロット０およびスロット１の両方において、必要とされる。結果として、スロット０においてさえも、ＵＥ１０４は、２つのグループに関してＤＭ−ＲＳ  ＲＥの周りでレートマッチを行うように示され得る。
【００４５】
[0057]さらに、決定コンポーネント４２４は、少なくとも１つの条件が存在するかどうかに基づいて、例えば、第１のサブフレームスロット４０４における第１のＤＭ−ＲＳ４０８を使用して、または第１のサブフレームスロット４０４における第１のＤＭ−ＲＳ４０８および第２のサブフレームスロット４０６における第２のＤＭ−ＲＳ４１０の両方を使用して、第１のサブフレームスロット４０４における少なくとも１つのダウンリンクチャネル１２１−ｂを復調するかどうかを決定し得る。
【００４６】
[0058]一態様において、ＵＥ１０４および／または基準信号利用コンポーネント４２０は、復調コンポーネント４２６を含み得、それは、サブフレームスロット４０４におけるＤＭ−ＲＳ４０８を、またはサブフレームスロット４０４におけるＤＭ−ＲＳ４０８およびサブフレームスロット４０６におけるＤＭ−ＲＳ４１０の両方を使用して、例えば、サブフレームスロット４０４におけるダウンリンクチャネル１２１−ｂを復調するように構成され得る。その上、ＵＥ１０４および／または基準信号利用コンポーネント４２０は、サブフレームスロット４０４とサブフレームスロット４０６との間の電力差を識別する電力差のインジケーションを受信し得る。復調コンポーネント４２６は、それぞれ、電力差に基づいて、サブフレームスロット４０４におけるＤＭ−ＲＳ４０８を、およびサブフレームスロット４０６におけるＤＭ−ＲＳ４１０を復調し得る。
【００４７】
[0059]さらに、ＵＥ１０４および／または基準信号利用コンポーネント４２０は、サブフレームスロット４０６においてスケジューリングされた少なくとも１つのチャネルが、サブフレームスロット４０６におけるアンテナポートグループとは異なるアンテナポートグループにおけるアンテナポートのセットを用いて送信されるとき、サブフレームスロット４０６におけるＤＭ−ＲＳ４１０およびＤＭ−ＲＳ４０８の周りで、チャネルレートマッチングを行い得る。
【００４８】
[0060]いくつかの態様において、ＵＥ１０４および／または基準信号利用コンポーネント４２０は、リソースの利用可能性に基づいて、トランスポートブロックサイズ（ＴＢＳ）をスケーリングし得る。例えば、ＵＥ１０４および／または基準信号利用コンポーネント４２０は、データチャネルのための利用可能なリソース要素の数に対応するサブフレームスロット４０４におけるリソースの利用可能性を決定し得る。一度決定されると、ＵＥ１０４および／または基準信号利用コンポーネント４２０は、しきい値とリソース利用可能性を比較し得、その比較に基づいて、サブフレームスロット４０４のためのトランスポートブロックサイズ（ＴＢＳ）をスケーリングし得る。いくつかの実例において、しきい値は、既定の値、またはネットワークによって示された値のうちの少なくとも１つである。
【００４９】
[0061]一例において、第１のスロットは、レガシ制御領域を有し、一方で、第２のスロットは、それを有しない。結果として、リソース利用可能性は、スロット０およびスロット１において異なる。１つの例となる使用事例において、例えば、３つのレガシ制御シンボルおよび２つのポートＣＲＳを想定して、スロット０は、（合計で利用可能な７ｘ１２）−（レガシ制御の３ｘ１２）−ＣＲＳに関して４＝４４個のＲＥという、利用可能なＲＥ／ＲＢを有するだろうが、一方で、スロット１は、（７ｘ１２）−（４ｘ２）＝７６個のＲＥという、利用可能なＲＥ／ＲＢを有し得る。さらに、ＴＢＳテーブルは、典型的に、１２０個のＲＥの想定に基づいて設計される。それ故、既存のＴＢＳテーブルを使用して、４４／１２０≒０．３７および７６／１２０≒０．６３のスケーリングファクタが、それぞれ、スロット０およびスロット１に関して、使用されることができる。
【００５０】
[0062]さらに、ＴＤＤにおける特別なサブフレーム、制御領域サイズ、ＲＳタイプ（ＣＲＳと比較してＤＭ−ＲＳ）、およびＣＳＩ−ＲＳは、リソース利用可能性にさらに影響を与え（impact）得る。例えば、レガシ制御領域が、ただ１つのシンボルのみである場合、スロット０において、ＲＢにおいて利用可能な、７ｘ１２−１２＝７２個のＲＥがある可能性があり、そうであるため、７２／１２０＝０．６のスケーリングファクタが使用され得る。同様に、例えば、２つのレガシ制御シンボルが使用される場合、６０個のＲＥが、利用可能であり、および６０／１２０＝０．５のスケーリングファクタが使用され得る。別の例において、ＤＭ−ＲＳが３つの制御シンボルのスロット０に存在する場合、ただ４４−１２＝３２個のＲＥのみが、利用可能であり、第２のスロットに関して、利用可能な数のＲＥは、７６個から６４個のＲＥに減る。また、スロット１に関して、ＣＳＩ−ＲＳが（３２個のＲＥまで）さらに存在する場合、ただ３２個のＲＥのみが、ＱＰＤＳＣＨに関して、利用可能であろう。
【００５１】
[0063]したがって、本態様の短縮されたＴＴＩに起因して、ＵＥ１０４は、全ての事例において、単一のスケーリングファクタを使用しない可能性がある。代わりに、ＵＥ１０４によって使用されるスケーリングファクタは、スロット（例えば、スロット０およびスロット１）および／またはＲＳタイプ（ＣＲＳ対ＤＭ−ＲＳ）に依存し得る。そうであるため、ＵＥ１０４は、２つ以上のスケーリングファクタを利用し得、どのスケーリングファクタを使用するかを決定するために、利用可能なリソースを１つまたは複数のしきい値と比較し得る。２つのファクタが十分である場合、１つのしきい値は十分である。１つの限定されない例において、例えば、それぞれ、スケーリングファクタが０．６および０．３であり、しきい値が、５４個の利用可能なＲＥである場合、利用可能なＲＥの数が５４個またはそれより多い場合、０．６のスケーリングファクタが使用され、そうでなければ、０．３のスケーリングファクタが使用される。
【００５２】
[0064]一態様において、ＵＥ１０４および／または基準信号利用コンポーネント４２０は、ハイブリッド自動再送要求（ＨＡＲＱ）プロセスを共有し得る。例えば、ＵＥ１０４および／または基準信号利用コンポーネント４２０は、シングルスロットのＴＴＩを有する少なくとも１つのダウンリンクチャネル１２１−ｂとダウンリンクサブフレームに含まれる少なくとも１つの他のダウンリンクチャネルとの間でＨＡＲＱプロセスを共有し得、ここにおいて、少なくとも１つの他のダウンリンクチャネルは、サブフレーム長ＴＴＩを有する。さらに、ＵＥ１０４および／または基準信号利用コンポーネント４２０は、シングルスロットのＴＴＩを有する少なくとも１つのダウンリンクチャネル（例えば、ダウンリンクチャネル１２１−ｂ）に関して、少なくとも１つの第１のＨＡＲＱプロセスを維持し得る。ＵＥ１０４および／または基準信号利用コンポーネント４２０は、ダウンリンクサブフレームにおいて含まれる少なくとも１つの他のダウンリンクチャネルに関して、少なくとも１つの第２のＨＡＲＱプロセスを維持し得、ここにおいて、少なくとも１つの他のダウンリンクチャネルは、サブフレーム長ＴＴＩを有する。ＵＥ１０４および／または基準信号利用コンポーネント４２０は、少なくとも１つの第１のＨＡＲＱプロセスおよび少なくとも１つの第２のＨＡＲＱプロセスに関して、シンボルを記憶するためのソフトバッファを区画し得る。
【００５３】
[0065]一例において、１ｍｓのＴＴＩおよびシングルスロットのＴＴＩに関して、同じＨＡＲＱプロセスが、共有され得る。ソフトバッファは、１ｍｓのＴＴＩとシングルスロットのＴＴＩとの間で共有され得る。送信ブロック（ＴＢ）は、ダウンリンクリソースをより効果的に使用するように、１ｍｓのＴＴＩで開始し（start with）得、シングルスロットのＴＴＩで再送され得る。代替的に、送信ブロックは、異なるＴＴＩを用いてスケジューリングされることが許容されない可能性がある（例えば、１ｍｓのＴＴＩ、または、スロットのＴＴＩのいずれかを選択しなければいけない）。同じＨＡＲＱプロセスに関して、示されたＴＴＩ長が変更される場合、ＵＥは、新しいデータインジケータ（ＮＤＩ）ビットを無視する一方で、新しい送信ブロックを想定し得る。
【００５４】
[0066]その上、ソフトバッファは、スロットベースのおよびサブフレームベースのＨＡＲＱプロセスを管理するために、区分され得る。例えば、コンポーネントキャリア（ＣＣ）において８つのＨＡＲＱプロセスおよび本来は１ｍｓのＴＴＩに関して定義された８つのソフトバッファを想定することによって、およびスロットのＴＴＩに関して２Ｋのソフトバッファを定義することによって、１ｍｓのＴＴＩのＨＡＲＱプロセスに関して利用可能な（８−Ｋ）個のソフトバッファ、および１スロットのＴＴＩのＨＡＲＱプロセスに関して利用可能な２Ｋのソフトバッファがあり得る。つまり、本来は１ｍｓのＴＴＩに関して定義された残りのＫ個のソフトバッファは、ここで、各々、１スロットのＴＴＩのＨＡＲＱプロセスに関して２個のソフトバッファにさらに区分される。このように、全体で、８−Ｋ＋２Ｋ＝８＋Ｋのソフトバッファが、構成され得、それらは、少なくとも８＋Ｋ個のＨＡＲＱプロセスをサービスすることができる。この例において、Ｋの値は、例えば、０、１、２、３、４、５、６、７、または、８として、構成されることができ、Ｋ＝０の場合、ＵＥ１０４は、レガシバッファの使用にフォールバックし得るのに対して、Ｋ＝８の場合、１ｍｓのＴＴＩユニキャストトラフィックは１つも存在しない。
【００５５】
[0067]図５は、スロットベースの（例えば、０．５ｍｓ）ＴＴＩをサポートするシステム１００（図１）またはシステム４００（図４）のような、ワイヤレス通信システムにおけるＵＥ通信のためのダウンリンクサブフレーム構造５００の限定されない例を例示する図である。一態様において、ダウンリンクサブフレーム構造５００は、例となるＬＴＥサブフレームのためのフレームスケジューリングを含み、それは、２つのスロット（スロット０  ５０２およびスロット１  ５０４）および１４個シンボル（シンボル０〜１３）に時間ドメインにおいて（水平に）分割される。その上に、ダウンリンクサブフレーム構造５００のいくつかのリソース要素ブロックの時間的な持続時間（temporal duration）（水平軸）は、１つのスロット（０．５ｍｓのＴＴＩ）であり得るが、一方で、他のリソース要素ブロックは、両方のスロット（１ｍｓのＴＴＩ）の時間的な持続時間を有し得る。そうであるため、１つのスロット（０．５ｍｓ）のＴＴＩを有する制御およびデータチャネルリソース要素ブロックを組み込むことによって、ダウンリンクサブフレーム構造５００は、例えば、レガシＬＴＥダウンリンクデータ構造のリソース要素ブロック、それらは、１つのサブフレーム（１ｍｓ）の命じられた（mandated）ダウンリンクデータリソース要素ブロックＴＴＩを有するのであるが、に対して、ダウンリンクデータ送信のためのより低いレイテンシを可能にさせる（allows for）。その上に、ダウンリンクサブフレーム構造５００は、ＰＤＣＣＨ、ＥＰＤＣＣＨ、およびＰＤＳＣＨリソース要素ブロックが本開示のシングルスロットリソース要素ブロックとともにスケジューリングされることを可能にすることによって、これらの既存のレガシＬＴＥデータ構造との相互運用性（inter−operability）を提供する。
【００５６】
[0068]本開示の一態様において、ダウンリンクサブフレーム構造５００は、各々が、システム帯域幅５０３がそれらに分割される１つまたは複数のリソース要素を備える、１つまたは複数のリソース要素ブロックを含み得る。例えば、例となるダウンリンクサブフレーム構造５００において、１つのスロットに及ぶリソース要素ブロックは、１つのスロットのＴＴＩを有するクイックＬＴＥチャネル(quick LTE channel)に対応し得、それは、ＱＥＰＤＣＣＨ（クイック制御チャネル）、または、ＱＰＤＳＣＨ（クイックデータチャネル）を含み得る。代替的に、両方のサブフレームに及ぶリソース要素ブロックは、ＰＤＳＣＨ（レガシＬＴＥデータチャネル）に対応し得、それは、ＰＤＣＣＨ（例えば、レガシ制御領域において）、ＱＰＤＣＣＨ（図示せず）、または、ＥＰＤＣＣＨによって、特定のＵＥに供与され得る。加えて、両方のサブフレームに及ぶリソース要素ブロックは、リソース要素ブロックのような、ＥＰＤＣＣＨ（レガシＬＴＥ制御チャネル）に対応し得る。
【００５７】
[0069]追加的な態様において、１つまたは複数のリソース要素ブロックの各々は、制御チャネル領域、または、データチャネル領域を備え得る。例えば、ＱＰＤＣＣＨ、ＱＥＰＤＣＣＨ、ＥＰＤＣＣＨ、または、ＰＤＣＣＨに関連付けられたリソース要素ブロックは、各々、制御チャネル領域に対応し得る。代替的に、ＰＤＳＣＨ、またはＱＰＤＳＣＨに関連付けられたリソース要素ブロックは、データチャネル領域に対応し得る。
【００５８】
[0070]加えて、ダウンリンクサブフレーム構造５００の１つまたは複数の制御チャネル領域は、１つのまたは共有のダウンリンクデータチャネルによってサービスされる１つまたは複数のＵＥに関して、１つまたは複数のリソースグラントを含み得る。これらのダウンリンクデータチャネルは、サブフレームのシングルスロットに及ぶＱＰＤＳＣＨおよび／またはサブフレームの両方のスロットに及ぶＰＤＳＣＨを含み得る。
【００５９】
[0071]一態様において、ダウンリンクサブフレーム構造５００の制御チャネル領域のうちの１つまたは複数は、サブフレームのシングルスロットに及ぶ制御チャネルに対応し得る。本開示のそのようなシングルスロット制御チャネルは、ＱＥＰＤＣＣＨとしてここでは、呼ばれ得、それは、レガシＥＰＤＣＣＨのそれらと類似の態様を有し得る。しかしながら、サブフレームの両方のスロットに及ぶＥＰＤＣＣＨとは異なり、ＱＥＰＤＣＣＨは、サブフレームのシングルスロットに及ぶ。一態様において、ＱＥＰＤＣＣＨは、レガシＥＰＤＣＣＨと同じまたは類似のクイック制御チャネル要素（ＥＣＣＥ）リソース要素を利用し得るのであるが、リソース要素は、より短いＱＥＰＤＣＣＨの時間フレームを補償するためにレガシＥＰＤＣＣＨに対して、追加され得る。言い換えれば、ＱＥＰＤＣＣＨのアグリゲーションレベルは、類似のカバレッジを維持するために、レガシＥＰＤＣＣＨに対して（例えば、２倍に）増やされ得る。
【００６０】
[0072]その上に、ＱＥＰＤＣＣＨに割り振られたダウンリンクサブフレーム構造５００の制御チャネル領域は、１つまたは複数のアップリンクまたはダウンリンクグラントを含み得る。本開示の追加の態様において、ダウンリンクサブフレーム構造５００の制御チャネル領域は、サブフレームのスロット０  ５０２およびスロット１  ５０４の両方に及ぶデータチャネル領域リソース要素ブロックのためのダウンリンクチャネルグラントを含み得る。
【００６１】
[0073]その上、サブフレームの初期シンボル（または複数のシンボル）はレガシ制御領域を含み得るが、シンボルはまた、本開示のＱＰＤＣＣＨチャネルのためのリソース要素を含み得る。したがって、ＱＰＤＣＣＨは、レガシＰＤＣＣＨの制御チャネル要素（ＣＣＥ）構造を利用し得、レガシ制御領域の他のレガシ制御チャネルと十分に多重化され得る。その上に、ＱＰＤＣＣＨは、サブフレームのいずれか１つまたは両方のスロットに及ぶリソース要素ブロックのための１つまたは複数のダウンリンクリソースグラントを含み得る。言い換えれば、ＱＰＤＣＣＨは、（サブフレームのシングルスロット、０．５ｍｓのＴＴＩ、に及ぶ）ＱＰＤＳＣＨリソース要素ブロック、または、（サブフレームの両方のスロット、１ｍｓのＴＴＩ、に及ぶ）ＰＤＳＣＨリソース要素ブロックのためのダウンリンクリソースグラントを含み得る。追加的な態様において、ＱＰＤＣＣＨが、シングルスロットのＱＰＤＳＣＨのための、またはフルサブフレームＰＤＣＣＨのためのリソース要素ブロックのためのダウンリンクグラントを含み得るので、ＱＰＤＣＣＨは、ダウンリンクチャネルグラントがシングルスロット用であるか、または、フルサブフレーム用であるかを特定するダウンリンク制御インジケータ（ＤＣＩ）を含み得る。その上に、構造５００において、明確に示されていないが、レガシＬＴＥ  ＰＤＣＣＨのように、ＱＰＤＣＣＨは、ダウンリンクグラントに加えて、アップリンクグラントを含み得る。
【００６２】
[0074]その上に、データチャネル領域を備えるリソース要素ブロックは、１つまたは複数のＵＥへのユーザデータのダウンリンク送信のためのリソース要素割り振りに対応し得る。一態様において、これらのデータチャネル領域は、サブフレームの両方のスロット上でユーザデータを送信するダウンリンクチャネルまたはシングルスロット上でユーザデータを送信するダウンリンクチャネルに割り振られたリソース要素ブロックを含み得る。
【００６３】
[0075]それ故、図５において例示されるように、ダウンリンクサブフレーム構造５００は、スロットベースの割り振りスキームをインプリメントし得るいくつかのリソース要素ブロックのための、拡張されたクイック（例えば、スロットベースの、または、０．５ｍｓのＴＴＩ）ＬＴＥダウンリンクリソース要素割り振り構造を含み、それによって、フルサブフレームベースのレガシＬＴＥダウンリンクリソース要素割り振りスキームに対して、ＴＴＩを短縮する（例えば、半減させる）。このクイックＬＴＥダウンリンクリソース要素割り振り構造を利用することによって、オーバーザエアレイテンシは、（例えば、２倍ほど）著しく減らされ得る。したがって、例えば、拡張されたＬＴＥ構造を使用するＨＡＲＱプロセスの往復時間（ＲＴＴ）は、レガシＬＴＥ  ＲＴＴの８ｍｓから４ｍｓに減らされ得る。
【００６４】
[0076]追加的な特徴において、ダウンリンクサブフレーム構造５００は、（a）シングルスロットに及び、かつ０．５ｍｓのＴＴＩを有し得る本開示のクイックＬＴＥチャネル（例えば、ＱＰＤＣＣＨ、ＱＥＰＤＣＣＨ、ＱＰＤＳＣＨ）、および（b）サブフレーム全体に及び、かつ、それ故に、１ｍｓのＴＴＩを有するレガシＬＴＥチャネルのうちの１つまたは両方を利用するＵＥのためのダウンリンクサブフレームにおいてリソース要素を割り振り得る。加えて、ダウンリンクサブフレーム構造５００は、レガシＬＴＥの一般的な１ｍｓサブフレーム構造を写す（mirrors ）ので、拡張されたＬＴＥ構造を導入することは、限定するものではないが、例えば、セルサーチプロシージャ、システム情報ブロック読取り、ランダムアクセスチャネル（ＲＡＣＨ）プロシージャ（競合ベースのＲＡＣＨのための媒体アクセスチャネル（ＭＡＣ）拡張を有する、ページング、およびアイドルモードプロシージャ、などの、基本的な通信動作を変えない。その上に、ＵＥは、（例えば、専用情報要素、または、メッセージを介して）接続セットアップの間、それらが拡張ＬＴＥ通信をサポートするかどうかを容易に示し得、それに応答して、ネットワークエンティティ（例えば、ｅＮＢ）は、拡張ＬＴＥダウンリンクおよびアップリンクチャネルに関する構成パラメータを提供し得る。
【００６５】
[0077]その上、いくつかの例において、セル固有基準信号（ＣＲＳ）ベースの復調がレガシＬＴＥシステムにおいて広く使用されるので、ＣＲＳベースの復調は、それの仕様およびインプリメンテーションのインパクトを最小化するために、拡張されたＬＴＥ構造のスロットベースのリソース要素割り振りのために利用され得る。代替的に、復調基準信号（ＤＭ−ＲＳ）ベースの復調が、使用され得る。ＤＭＲＳベースの復調は、サブフレームの各スロットごとのチャネル推定のために十分なリソースが使用されることを可能にすることができる。例えば、ＤＭ−ＲＳは、密度の増加を可能にさせるが、それは、時分割複信（ＴＤＤ）ダウンリンクパイロット時間スロット（ＤｗＰＴＳ）に関して定義されたＵＥ固有の基準信号（ＵＥＲＳ）パターンがサブフレームの両方のスロットのために再利用されることができるからである。加えて、ＤＭＲＳベースの復調は、ＵＥが連続した割り当てに渡って組み合わせることを可能にさせる。ＣＲＳおよびＤＭ−ＲＳベースの復調の両方がレガシＬＴＥシステムによって利用されるので、クイックＬＴＥ通信のためにこれらの復調スキームを利用することは、さらに増やされた互換性を可能にさせる。
【００６６】
[0078]加えて、レガシＬＴＥの１つのサブフレームから本開示のクイックＬＴＥ構造の１つのスロットに送信を減らすことにより、データ送信のためのリソース量は、効率的に半分に減らされる。そうであるため、シングルスロットにおいて利用可能な減らされたリソースを使用して、同じデータ量の送信を容易にするために、コードレートにおける増加（例えば、倍にされたコードレート）が必要とされ得る。代替的に、または、追加的に、リソース要素ブロック割り当てのためのリソースブロック（ＲＢ）（またはリソース要素）の数は、増やされ得る（例えば、倍にされる）。それ故、リソース要素ブロック割り当てが時間的に圧縮される（例えば、サブフレームベースのＴＴＩからシングルスロットのＴＴＩに変更された）場合、リソース要素ブロック割り当てのリソースＲＢの数は、拡張され得る。加えて、２つのリソース−ブロック最小割り当ては、類似のコードレートおよびトランスポートブロックサイズがＴＴＩサイズに関わらず、維持されることができるように命じられ得る。しかしながら、１ＲＢ最小割り当てが実施される（is in place）場合には、トランスポートブロックサイズは、２倍ほどスケーリングされ得る。代替的に、別個のマッピングルールは、トランスポートブロックサイズ、変調およびコーディングスキーム（ＭＣＳ）、およびリソースブロックサイズに関して、サブフレームレベル（例えば、レガシＬＴＥ）の割り当て対スロットレベルの割り当て（例えば、クイックＬＴＥ）に関して提供され得る。加えて、スロット０およびスロット１は、異なるマッピングまたはスケーリングを有し得る。
【００６７】
[0079]その上、いくつかの例において、同じサブフレームレベルのチャネル状態情報基準信号（ＣＳＩ−ＲＳ）および干渉管理リソース（ＩＭＲ）が、リソース要素ブロックのＴＴＩに関わらず使用され得る（例えば、クイックＬＴＥ割り当ておよびレガシＬＴＥ割り当ての両方に関して同じ）。代替的に、ｅＮＢは、構成を生成し得、それによって、クイックＬＴＥのスロットレベルの割り当てのためにより大きい粒度を提供するために、ＣＳＩ−ＲＳおよび／またはＩＭＲが、一スロットベースで提供される。
【００６８】
[0080]それ故、本開示のダウンリンクサブフレーム構造５００は、ダウンリンクチャネルのＴＴＩ間隔を減らすことによって、レガシＬＴＥスケジューリング構造を利用するチャネルとの後方互換性および共存を維持しながら、オーバーザエアＬＴＥレイテンシを減らす。
【００６９】
[0081]その上、本態様に従って、ＵＥ１０４は、１つまたは複数の異なる構成に従って、ＥＰＤＣＣＨおよびＱＥＰＤＣＣＨとの基準信号（例えば、ＤＭ−ＲＳ）アソシエーションを利用し得る。ＱＥＰＤＣＣＨに関する１つの適した構成は、例えば、スロット０において、（前のサブフレームのスロット１においてもまた使用され得る）スロット０におけるＤＭ−ＲＳのみを使用すること、およびスロット１において、スロット１のＤＭ−ＲＳおよびスロット０のＤＭ−ＲＳの両方を使用すること、を含み得る。
【００７０】
[0082]加えて、空間ドメインにおいてリソース利用をよりよくを提供するために、本態様は、例えば、第１のグループ｛７、８、１１、１３｝および第２のグループ｛９、１０、１２、１４｝の両方に関して、ＥＰＤＣＣＨおよびＱＥＰＤＣＣＨのためにＯＣＣ４を導入し得る。１つの適した例において、例えば、１−ｍｓ  ＥＰＤＣＣＨに関して、ＯＣＣ４に起因して、ポート７〜１４は、ＥＰＤＣＣＨ送信のために使用されることができる。さらに、この例において、ＱＥＰＤＣＣＨに関連するその使用は、スロット０において前のサブフレームのスロット１のＤＭ−ＲＳを利用し得るか、または、ただスロット０のみのＤＭ−ＲＳを当てにし（rely on）得、そしてその場合はただアンテナポート７、８、９、１０のみが使用されること；スロット１において、アンテナポート７〜１４が使用されることができること、を含み得る。そうであるため、この例において、スロット０におけるおよびスロット１におけるＱＥＰＤＣＣＨは、アンテナポートの異なるセットを有し得る。さらに、この事例において、例えば、ＦＤＭおよび空間ドメイン多重化の混合を使用して、ＥＰＤＣＣＨおよびＱＥＰＤＣＣＨのためのデータリソースはまた、分けられ得る。
【００７１】
[0083]図６は、スロットＴＴＩ（例えば、０．５ｍｓのＴＴＩ）のためのＤＭ−ＲＳパターンを有するダウンリンクサブフレーム構造６００の限定されない例を例示する図である。ダウンリンクサブフレーム構造６００は、ダウンリンクサブフレーム構造６００の両方のスロットに関する時分割複信（ＴＤＤ）ダウンリンクパイロット時間スロット（ＤｗＰＴＳ）に関して定義されたパターンにおいて、１つまたは複数のＤＭ−ＲＳを含み得る。例えば、ダウンリンクサブフレーム構造６００は、スロット０  ６０２およびスロット１  ６０４を含むＬＴＥフレームのサブフレームに対応する。１つまたは複数の基準信号は、各サブフレームスロットに含まれ得る。
【００７２】
[0084]一態様において、ＤＭ−ＲＳは、時間ドメインにおいて、符号ドメイン多重化（ＣＤＭ）されている可能性がある。例えば、ランク１からランク４に関して、２の拡散長が、ＤＭ−ＲＳに対して使用され得る。さらに、アンテナポート７および８は、アンテナポート９および１０と共に、ＣＤＭされている。その上、アンテナポート９および１０と共にアンテナポート７および８は、周波数ドメイン多重化（ＦＤＭ）されている。ランク１から４に関して、直交カバーコード（ＯＣＣ）は、［１，１］、［１，−１］の値を有し得る。ランク５からランク８に関して、４の拡散長が使用され得る。さらに、アンテナポートは、２つのグループに分割され得る。ＣＤＭグループ１は、アンテナポート７、８、１１、および１３に対応し得、およびＣＤＭグループ２は、アンテナポート９、１０、１２、および１４に対応し得る。ＣＤＭグループ１およびＣＤＭグループ２は、ＦＤＭされている可能性がある。ランク５からランク８に関して、ＯＣＣは、［１，１，１，１，］、［１，−１，１，−１］、［１，１，−１，−１］、および［１，−１，−１，１］の値を有し得る。そうであるため、スロットのＴＴＩに関して、ＤＭ−ＲＳの１ストリップまたは２ストリップのＤＭ−ＲＳがあり得る。ＤＭ−ＲＳの１ストリップに関して、一例において、ＤＭ−ＲＳは、シンボル５および６のみに位置し得る。ＣＤＭ長さ４が４つのシンボルを必要とするので、ＤＭ−ＲＳの１ストリップは、ランク４の動作までをただサポートし得る。ＤＭ−ＲＳの２ストリップに関して、ダウンリンクサブフレーム構造６００において描かれるように、ＤＭ−ＲＳは、スロット０  ６０２のシンボル２および３、およびスロット１  ６０４のシンボル５および６において、位置し得る。２ストリップＤＭ−ＲＳは、ランク８の動作までをサポートし得る。
【００７３】
[0085]図７は、サブフレームの両方のスロット、スロット０  ７０２およびスロット１  ７０４、においてマルチユーザの多入力多出力（ＭＵ−ＭＩＭＯ）を有するスロットベースのＴＴＩに関して、ダウンリンクサブフレーム構造７００の限定されない例を例示する図である。一態様において、ダウンリンクサブフレーム構造７００は、ＵＥ１、ＵＥ２、ＵＥ３、およびＵＥ４の各々に関してＬＴＥサブフレームに関するフレームスケジューリングを含む。その上、ダウンリンクサブフレーム構造７００は、少なくともスロット１に関するスロットＴＴＩのポート管理のための３ＤＭＩＭＯ設計を利用し得る。例えば、スロット０  ７０２は、特に、スロットに渡るＤＭ−ＲＳ共有が、ただ（複数のサブフレームに渡らず）１つのサブフレーム内のみに許可される場合、３ＧＰＰリリース１３（Ｒｅｌ−１３）アンテナ管理の代わりに、３ＧＰＰリリース１２（Ｒｅｌ−１２）アンテナ管理に従い得る。この事例において、スロット０は、より少ないＭＵ−ＭＩＭＯ多重化能力、より劣るチャネル推定、およびスロット１よりも少ない最大レイヤ数（a lower maximum number）を有し、スロット０は、ランク４送信までをサポートし得、一方でスロット１はランク８送信までをサポートし得る。この事例において、Ｒｅｌ−１２のアンテナ管理は、ランク１送信に関して、ポート７またはポート８のみを使用することを含み、Ｎ＞１レイヤに関して、ポート７からポート（７＋Ｎ−１）のみが使用されることができる。さらに、Ｒｅｌ−１２に関して、スクランブリング識別子（ｎ＿ＳＣＩＤ）は、ＵＥのためのランク１およびランク２送信に関して、０または１にさらに設定されることができる。また、この事例において、３ＤＭＩＭＯの導入に起因して、ランク１送信に関して、Ｒｅｌ−１３のアンテナ管理は、直行コードカバー（ＯＣＣ）長さ２ベースのポート７およびポート８に加えて、ＯＣＣ長さ４ベースのポート７、ポート８、ポート１１およびポート１３を使用することを含み、ここで、ｎ＿ＳＣＩＤは、ＵＥに関して、０または１にさらに設定されることができる。さらに、ランク２送信に関して、Ｒｅｌ−１３アンテナ管理は、ＯＣＣ２ベースのポート７および８に加えて、ＯＣＣ４ベースのポート７および８ならびにポート１１および１３を使用することを含み、ここで、ｎ＿ＳＣＩＤは、ＵＥに関して、０または１にさらに設定されることができる。代替的に、本態様はまた、ランク１／ランク２送信に関して、ポート９、１０、１２、および１４のうちの１つまたは複数を追加的にイネーブルすることを考慮し得る。
【００７４】
[0086]例えば、図７によって表される例において、スロット０  ７０２に関して、同じＲＢにおいて、ＵＥ１およびＵＥ２は、ＯＣＣ長さ２を有するスロット０  ７０２のみにおけるＤＭ−ＲＳを使用しつつ、ＭＵ−ＭＩＭＯ中にある。スロット１  ７０４に関して、ＵＥ１、ＵＥ２、ＵＥ３、およびＵＥ４は、ＭＵ−ＭＩＭＯ中にあり、ＯＣＣ長さ４を有する両方のスロット０  ７０２およびスロット１  ７０４におけるＤＭ−ＲＳを使用する。ポート７またはポート８に関して、シングルスロットにおける２または４のＯＣＣ長は、ポート７に関して、［１，１］の同じＯＣＣ値を、または、ポート８に関して、［１，−１］の同じＯＣＣ値を有し得る。スロット０  ７０２において、ＵＥ３およびＵＥ４に関するＤＭ−ＲＳは、ＵＥ１およびＵＥ２に関するＤＭ−ＲＳに干渉し得る。そうであるため、本態様に従って、異なるスクランブリング識別子または電力レベルが使用され得る。例えば、ＵＥ１およびＵＥ２は、ＵＥ３およびＵＥ４（例えば、ｎ＿ＳＣＩＤ＋１）とは異なるスクランブリング識別子の値（例えば、ｎ＿ＳＣＩＤ＝０）を有し得る。さらに、例えば、ＵＥ１および／またはＵＥ２は、ＵＥ３および／またはＵＥ４よりも高い電力を有し得る。代替的に、スロット１  ７０４においてＵＥ１／ＵＥ２およびＵＥ３／ＵＥ４に関して、異なるスクランブリング識別子が使用される場合、これらの２つのペアに関するＤＭ−ＲＳは、完全には直交ではないだろう。そうであるため、本態様に従って、新しいシーケンスマッピングは、異なるスクランブリング識別子が使用されるとき、ＵＥ１、ＵＥ２、ＵＥ３、およびＵＥ４に関する４シンボルのＤＭ−ＲＳが、ＯＣＣ長さ４の逆拡散（despreading）の後に未だ直交であるように、考慮され得る。例えば、ＵＥ１／ＵＥ２のＤＭ−ＲＳに関して、４つのシンボルにおいてマッピングされたシーケンスは、Ｘ、Ｙ、Ｘ、Ｙで有り得、一方で、ＵＥ３／ＵＥ４に関して、マッピングされたシーケンスは、Ｗ、Ｚ、−Ｗ、−Ｚであり得る。
【００７５】
[0087]その上に、本態様に従う、ダウンリンクフレーム構造７００、または他の類似のスロットベースのＴＴＩフレーム構造に関して、グループＡＣＫがサポートされる場合（例えば、ＱＰＤＳＣＨが１つのスロットであり、一方で、それのＡＣＫ／ＮＡＫが１ｍｓのＴＴＩに基づく）、スロット０における送信は、スロット１におけるＤＭ−ＲＳをさらに利用することができる。このように、ランク４よりも大きい送信、または、ＯＣＣ４ランク１／ランク２送信は、スロット０において、サポートされることができる。
【００７６】
[0088]また、本態様に従う、ダウンリンクフレーム構造７００、または他の類似のスロットベースのＴＴＩフレーム構造に関して、新しいＤＭ−ＲＳシンボルが導入される場合、本態様は、例えば、シンボル５および６におけるＤＭ−ＲＳに加えて、スロット０またはスロット１における送信に関して、同じスロットの他のシンボル（例えば、２および３）におけるＤＭ−ＲＳが存在するか否かについてのインジケーションを提供することを含み得る。しかしながら、ＣＳＩ−ＲＳサブフレームにおいて、シンボル２および３におけるスロット１ＤＭ−ＲＳは、サポートされないことがあり、この事例において、ＵＥは、シンボル５および６のみにおけるＤＭ−ＲＳを使用することにフォールバックすることを留意されたい。
【００７７】
[0089]さらに、本態様に従う、ダウンリンクフレーム構造７００、または他の類似のスロットベースのＴＴＩフレーム構造に関して、本態様は、スロット１における送信のためにスロット０においてＤＭ−ＲＳがさらに存在するか否かについてのインジケーションを提供することを含み得る。いくつかの態様において、そのようなインジケーションは、半静的（例えば、ＲＲＣ構成）、または、動的（例えば、ＤＣＩの部分）であることができる。代替的に、または、追加的に、いくつかの態様において、そのようなインジケーションはまた、暗黙である可能性がある。暗黙のインジケーションの１つの限定されない例において、スロット１において、ランク３からランク８までの送信がスケジューリングされる場合、ＵＥは、スロット０におけるシンボル５およびシンボル６においてＤＭ−ＲＳがさらに存在することを想定し得る。暗黙のインジケーションの別の限定されない例において、スロット１において送信をスケジューリングするために使用される制御リソースがスロット０において送信される場合、ＵＥは、ＤＭ−ＲＳがスロット０において存在することを想定することができる。
【００７８】
[0090]追加的に、本態様に従う、ダウンリンクフレーム構造７００、または他の類似のスロットベースのＴＴＩフレーム構造に関して、本態様は、サブフレームｎ−１におけるスロット１のＤＭ−ＲＳを利用するために、ＵＥ１０４がサブフレームｎにおけるスロット０を受信することを含み得る。この事例において、ＯＣＣ４は、サブフレームｎにおけるスロット０およびサブフレームｎ−１におけるスロット１の順序に従い得る。例えば、ＯＣＣ４が［１  −１  −１  １］である場合、サブフレームｎ＝１におけるスロット１に関して［−１  １］が使用され、サブフレームｎにおけるスロット０に関して［１  −１］が使用されるが、サブフレームｎ−１は、時間的に最初に生じる。
【００７９】
[0091]その上、本態様に従う、ダウンリンクフレーム構造７００、または他の類似のスロットベースのＴＴＩフレーム構造に関して、本態様は、ＵＥ１０４が、現在のスロットの復調のために異なるスロットからのＤＭ−ＲＳが使用され得ることを想定するとき、ＵＥ１０４が同じポートに関して同じプリコーディングおよび電力を使用し得ることを含み得る。とはいえ、本態様が２つのスロットに対して異なる電力を有することが可能であることを熟慮すること、その場合において、本態様は、ｅＮＢ１０２がＵＥ１０４に電力差のインジケーションを提供することを含むことは留意されるべきである。
【００８０】
[0092]さらに、ＵＥ１０４が、現在のスロットの復調のために別のスロットのＤＭ−ＲＳを使用する場合、ＵＥ１０４は、現在のスロットをスケジューリングする制御チャネルを復号する前に、他のスロットおける対応するシンボルをバッファしなければいけない可能性がある。
【００８１】
[0093]図８は、本態様のうちの１つまたは複数に従った、スロットに渡るＤＭ−ＲＳ利用を有するダウンリンクサブフレーム構造８００の限定されない例を例示する図である。一態様において、ダウンリンクサブフレーム構造８００は、例となるＬＴＥサブフレームに関して、フレームスケジューリングを含み、ここにおいて、ＲＥのうちのいくつかは、ＵＥにおけるチャネル推定のためのＤＬ基準（パイロット）信号（ＤＬ−ＲＳ）を搬送する。これらの基準信号は、復調基準信号（ＤＭ−ＲＳ）に対応し得、それは、サブフレームの各スロットに含まれ得る。
【００８２】
[0094]一態様において、ダウンリンクサブフレーム構造８００は、スロット０  ８０２およびスロット１  ８０４を含むＬＴＥフレームのサブフレームに対応する。１つまたは複数の基準信号は、各サブフレームスロットに含まれ得る。例えば、スロット０  ８０２は、ＲＢ１およびＲＢ２上に複数のＤＭ−ＲＳを含み得、一方で、スロット１  ８０４は、ＲＢ１、ＲＢ２、ＲＢ３、およびＲＢ４上に複数のＤＭ−ＲＳを含む。影付きのブロックによって示されるように、スロット０  ８０２のＲＢ１およびＲＢ２の部分は、ＱＰＤＳＣＨを含む。同様に、影付きのブロックによって例示されるように、スロット１  ８０４のＲＢ１、ＲＢ２、ＲＢ３、およびＲＢ４の全ては、ＱＰＤＳＣＨを含む。そうであるため、ＱＰＤＳＣＨに関して、ＤＭ−ＲＳの条件付きのスロットをまたがる（cross−slot）利用は、一ＲＢベースで可能にされ得る。例えば、基準信号利用コンポーネント４２０を動作させるように構成されたＵＥ１０４（図４）のような、ＵＥは、スロット０  ８０２における少なくとも１つのダウンリンクチャネルを復調するために、スロット１  ８０４におけるＤＭ−ＲＳを使用することに対して、少なくとも１つの条件が存在することを決定し得る。特に、ＲＢ１およびＲＢ２にスロット０  ８０２におけるＱＰＤＳＣＨ、および、ＲＢ１、ＲＢ２、ＲＢ３、およびＲＢ４にスロット１  ８０４におけるＱＰＤＳＣＨを有するＵＥは、スロット０  ８０２におけるＱＰＤＳＣＨを復調するためにＲＢ１およびＲＢ２のための両方のスロットにおける（例えば、拡張ＤＭ−ＲＳと呼ばれる）ＤＭ−ＲＳを利用し得るが、そのような拡張ＤＭ−ＲＳは、ＲＢ３およびＲＢ４において利用可能ではない（および、故に、スロット１  ８０１におけるＱＰＤＳＣＨの復調はただ、スロット１のＤＭ−ＲＳのみを使用し得る）。さらに、アンテナポートに関して、同じプリコーディング技法が、１つのサブフレームにおける（および、場合により、例えば、構成に依存して、異なるサブフレーム上でも）同じＰＲＢペアの２つのスロット（例えば、スロット０  ８０２およびスロット１  ８０４）におけるＤＭ−ＲＳに関して、ＵＥによって想定され得る。その上、プリコーディングＲＢグループ（ＰＲＧ）がイネーブルされる場合、同じプリコーディングはまた、同じＰＲＧのＲＢに関して想定され得る。
【００８３】
[0095]図９は、新しいスロットのインデックス化、または、仮想スロットのインデックス化を含むダウンリンクサブフレーム構造９００の限定されない例を例示する図である。一態様において、ダウンリンクサブフレーム構造９００は、各々最後の２つのシンボルにおいて位置するＤＭ−ＲＳを有する、複数のサブフレームスロット９０２、９０４、および９０６を含む物理スロットのインデックス化を有し得る。本態様に従って、ＵＥ１０４は、早期の復号を容易にするためにスロット１  ９０２における、シンボル１および２においてなどのような、新しいＤＭ−ＲＳシンボルロケーションを認識し得る。加えて、本態様に従って、早期の復号をより簡単に行うために、スロット中の（１つまたは複数の）最後のシンボルにおける送信を省略することがまた可能で有り得る。例えば、スロットのＴＴＩ送信のための最初の６つのシンボルのみを、ｅＮＢ１０２は送信し得、および／またはＵＥ１０４は認識し得る。代替的に、または、加えて、別の態様において、例えば、ＵＥ１０４は、ＤＭ−ＲＳベースの送信のために仮想スロットを認識するように構成され得、そしてその中では仮想スロットが物理スロットと揃う（align with）必要がない。示されるように、ダウンリンクサブフレーム構造９００は、仮想スロット０  ９０８および仮想スロット１  ９１０を含み得るが、それらの両方は、仮想スロットのうちの最初の２つのシンボルにおいてＤＭ−ＲＳを含み得る。このように、この事例において、仮想スロットは、ＤＭ−ＲＳが前倒し（front−loaded）されるように、スロットｍのシンボル５および６、ならびにシンボルｍ＋１のシンボル０、１、２、３、および４を含み得る。
【００８４】
[0096]図１０を参照すると、ＵＥ１０４（図１および４）のようなＵＥは、ワイヤレス通信の間、条件付きＤＭ−ＲＳ利用を管理するための方法１０００の一態様を行うために１つまたは複数のプロセッサを含み得る。説明の簡潔性の目的のために、方法は、一連の動作として示されているおよび説明されているが、いくつかの動作は、１つまたは複数の実施形態にしたがって、ここに示されるおよび説明されるものとは異なる順序で、および／または、他の動作と同時に発生し得るので、これら方法は、動作の順序によって限定されないことは理解および認識されるべきである。例えば、方法は、状態図において等、一連の相互に関係する状態またはイベントとして代替的に表される可能性があることは認識されるべきである。その上、本明細書において説明される１つまたは複数の特徴に従って方法をインプリメントするために、全ての例示された行為が必要とされ得る訳ではない。
【００８５】
[0097]一態様において、ブロック１００２において、方法１０００は、第１のサブフレームスロットおよび第２のサブフレームスロットを有する送信を受信することを含み得、ここにおいて、第１のサブフレームスロットおよび第２のサブフレームスロットのうちの少なくとも１つは、シングルスロットの送信時間間隔（ＴＴＩ）を有する。例えば、一態様において、ＵＥ１０４および／またはプロセッサ１２０４（図１２）は、基地局１０２から通信リンク１２０のダウンリンクチャネル１２１−ｂ上で送信４０２を受信するために基準信号利用コンポーネント４２０を実行し得る。送信は、サブフレームスロット４０４およびサブフレームスロット４０６を有し得る。いくつかの実例において、サブフレームスロット４０４およびサブフレームスロット４０６のうちの少なくとも１つは、シングルスロットＴＴＩを有し得る。
【００８６】
[0098]一態様において、ブロック１００４において、方法１０００は、第１のサブフレームスロットにおいて第１の復調基準信号（ＤＭ−ＲＳ）を、および第２のサブフレームスロットにおいて第２のＤＭ−ＲＳを検出することを含み得る。例えば、一態様において、ＵＥ１０４および／またはプロセッサ１２０４（図１２）は、サブフレームスロット４０４においてＤＭ−ＲＳ４０８およびサブフレームスロット４０６においてＤＭ−ＲＳ４１０を検出するために基準信号利用コンポーネント４２０および／または検出コンポーネント４２２を実行し得る。一例において、ＵＥ１０４および／またはプロセッサ１２０４（図１２）は、第１のサブフレームスロットの少なくとも１つのリソースブロックにおいて第１のＤＭ−ＲＳを検出し、および第２のサブフレームスロットの少なくとも１つのリソースブロックにおいて第２のＤＭ−ＲＳを検出するために、基準信号利用コンポーネント４２０および／または検出コンポーネント４２２を実行し得る。別の例において、第１のサブフレームスロットにおける第１のＤＭ−ＲＳおよび第２のサブフレームスロットにおける第２のＤＭ−ＲＳは、アンテナポートの同じグループに関連付けられる。さらなる例において、第１のサブフレームスロットにおける第１のＤＭ−ＲＳおよび第２のサブフレームスロットにおける第２のＤＭ−ＲＳは、長さ２、または長さ４のＯＣＣに関連付けられる。
【００８７】
[0099]さらに、一実例において、条件は、第１のサブフレームスロットにおける少なくとも１つのダウンリンクチャネルを復調するために第２のサブフレームスロットにおける第２のＤＭ−ＲＳを使用するためのインジケーションを備え得る。
【００８８】
[00100]方法１０００の別の態様において、第２のＤＭ−ＲＳを使用するためのインジケーションは、第２のＤＭ−ＲＳを使用することに関連付けられた既知のＲＲＣ構成、または、第２のＤＭ−ＲＳを使用することに関連付けられた既知のダウンリンク制御情報（ＤＣＩ）フォーマットのうちの少なくとも１つをさらに備える。
【００８９】
[00101]方法１０００の別の態様において、第２のＤＭ−ＲＳを使用するためのインジケーションは、復調のために使用される同じスロットにおける他のリソース要素の識別子をさらに備える。
【００９０】
[00102]方法１０００の別の態様において、第２のＤＭ−ＲＳを使用するためのインジケーションは、第２のＤＭ−ＲＳを使用することに関連付けられた暗黙のインジケーションをさらに備える。
【００９１】
[00103]方法１０００の別の態様において、暗黙のインジケーションは、第１のサブフレームスロットにおいてスケジューリングされた既知のランク送信、または、第１のサブフレームスロットにおけるスケジューリングされたデータ送信のために第２のサブフレームスロットにおいて送信される制御信号のうちの少なくとも１つを備える。
【００９２】
[00104]一態様において、ブロック１００６において、方法１０００は、第１のサブフレームスロットにおける少なくとも１つのダウンリンクチャネルを復調するために、第２のサブフレームスロットにおける第２のＤＭ−ＲＳを使用することに対して、少なくとも１つの条件が存在するかどうかを、プロセッサを介して、決定することを含み得る。例えば、一態様において、ＵＥ１０４および／またはプロセッサ１２０４（図１２）は、サブフレームスロット４０４における少なくとも１つのダウンリンクチャネル１２１−ｂを復調するために、サブフレームスロット４０６におけるＤＭ−ＲＳ４１０を使用することに対して、少なくとも１つの条件が存在するかどうかを、決定するために、基準信号利用コンポーネント４２０および／または決定コンポーネント４２４を実行し得る。一例において、ＵＥ１０４および／またはプロセッサ１２０４（図１２）は、第１のサブフレームスロットの少なくとも１つのリソースブロックの各々に関して、および第２のサブフレームスロットの少なくとも１つのリソースブロックの各々に関して、決定するために、基準信号利用コンポーネント４２０および／または決定コンポーネント４２４を実行し得る。
【００９３】
[00105]一態様において、ブロック１００８において、方法１０００は、少なくとも１つの条件が存在するかどうかに基づいて、第１のサブフレームスロットにおける第１のＤＭ−ＲＳを使用して、または第１のサブフレームスロットにおける第１のＤＭ−ＲＳおよび第２のサブフレームスロットにおける第２のＤＭ−ＲＳの両方を使用して、第１のサブフレームスロットにおける少なくとも１つのダウンリンクチャネルを復調するかどうかを決定することを含み得る。例えば、一態様において、ＵＥ１０４および／またはプロセッサ１２０４（図１２）は、少なくとも１つの条件が存在するかどうかに基づいて、第１のサブフレームスロット４０４における第１のＤＭ−ＲＳ４０８および第２のサブフレームスロット４０６における第２のＤＭ−ＲＳ４１０の両方を復調するかどうか、または第１のサブフレームスロット４０４における第１のＤＭ−ＲＳ４０８を使用して、第１のサブフレームスロット４０４における少なくとも１つのダウンリンクチャネル１２１−ｂを復調するかどうかを決定するために基準信号利用コンポーネント４２０および／または決定コンポーネント４２４を実行し得る。
【００９４】
[00106]一態様において、随意的なブロック１０１０において、方法１０００は、第１のサブフレームスロットにおける第１のＤＭ−ＲＳを使用して、第１のサブフレームスロットにおける少なくとも１つのダウンリンクチャネルを復調することを含み得る。例えば、一態様において、ＵＥ１０４および／またはプロセッサ１２０４（図１２）は、サブフレームスロット４０４におけるＤＭ−ＲＳ４０８を使用してサブフレームスロット４０４における少なくとも１つのダウンリンクチャネル１２１−ｂを復調するために基準信号利用コンポーネント４２０および／または復調コンポーネント４２６を実行し得る。
【００９５】
[00107]一態様において、随意的なブロック１０１２において、方法１０００は、第１のサブフレームスロットにおける第１のＤＭ−ＲＳおよび第２のサブフレームスロットにおける第２のＤＭ−ＲＳの両方を復調することを含み得る。例えば、一態様において、ＵＥ１０４および／またはプロセッサ１２０４（図１２）は、サブフレームスロット４０４におけるＤＭ−ＲＳ４０８およびサブフレームスロット４０６におけるＤＭ−ＲＳ４１０の両方を復調するために基準信号利用コンポーネント４２０および／または復調コンポーネント４２６を実行し得る。
【００９６】
[00108]方法１０００の別の態様において、ＵＥ１０４および／またはプロセッサ１２０４（図１２）は、第２のサブフレームスロットにおいてスケジューリングされた少なくとも１つのチャネルが第２のサブフレームスロットにおけるアンテナポートグループとは異なるアンテナポートグループにおけるアンテナポートのセットを用いて送信されるとき、第２のサブフレームスロットにおける第２のＤＭ−ＲＳおよび第１のＤＭ−ＲＳの周りで、チャネルレートマッチングを行うために、基準信号利用コンポーネント４２０を実行し得る。
【００９７】
[00109]方法１０００の別の態様において、第１のサブフレームスロットにおける第１のＤＭ−ＲＳは、アンテナポートの第１のグループに対応し、第２のサブフレームスロットにおける第２のＤＭ−ＲＳは、アンテナポートの第１のグループとは異なるアンテナポートの第２のグループに対応する。
【００９８】
[00110]方法１０００の別の態様において、第１のサブフレームスロットにおける第１のＤＭ−ＲＳおよび第２のサブフレームスロットにおける第２のＤＭ−ＲＳは、各々、異なる長さのＯＣＣに関連付けられる。
【００９９】
[00111]方法１０００の別の態様において、ＵＥ１０４および／またはプロセッサ１２０４（図１２）は、データチャネルのための利用可能なリソース要素の数に対応する第１のサブフレームスロットにおけるリソース利用可能性を決定することと、しきい値とリソース利用可能性を比較することと、比較に基づいて、第１のサブフレームスロットに関して、トランスポートブロックサイズをスケーリングすることとを行うために基準信号利用コンポーネント４２０を実行し得る。
【０１００】
[00112]方法１０００の別の態様において、しきい値は、既定の値、またはネットワークによって示された値のうちの少なくとも１つである。
【０１０１】
[00113]方法１０００の別の態様において、ＵＥ１０４および／またはプロセッサ１２０４（図１２）は、シングルスロットのＴＴＩを有する少なくとも１つのダウンリンクチャネルとダウンリンクサブフレームに含まれる少なくとも１つの他のダウンリンクチャネルとの間でＨＡＲＱプロセスを共有するために基準信号利用コンポーネント４２０を実行し得、ここにおいて、少なくとも１つの他のダウンリンクチャネルは、サブフレーム長ＴＴＩを有する。
【０１０２】
[00114]方法１０００の別の態様において、ＵＥ１０４および／またはプロセッサ１２０４（図１２）は、シングルスロットのＴＴＩを有する少なくとも１つのダウンリンクチャネルに関して、少なくとも１つの第１のＨＡＲＱプロセスを維持することと、ダウンリンクサブフレームにおいて含まれる少なくとも１つの他のダウンリンクチャネルに関して、少なくとも１つの第２のＨＡＲＱプロセスを維持すること、ここにおいて、少なくとも１つの他のダウンリンクチャネルは、サブフレーム長ＴＴＩを有する、と、少なくとも１つの第１のＨＡＲＱプロセスおよび少なくとも１つの第２のＨＡＲＱプロセスに関して、シンボルを記憶するためのソフトバッファを区画することとを行うために基準信号利用コンポーネント４２０を実行し得る。
【０１０３】
[00115]方法１０００の別の態様において、同じプリコーディングおよび電力は、第１のサブフレームスロットにおける第１のＤＭ−ＲＳおよび第２のサブフレームスロットにおける第２のＤＭ−ＲＳの両方に使用される。
【０１０４】
[00116]方法１０００の別の態様において、ＵＥ１０４および／またはプロセッサ１２０４（図１２）は、第１のサブフレームスロットと第２のサブフレームスロットとの間の電力差を識別する電力差のインジケーションを受信するために、基準信号利用コンポーネント４２０を実行し得、ここにおいて、第１のサブフレームスロットにおける第１のＤＭ−ＲＳおよび第２のサブフレームスロットにおける第２のＤＭ−ＲＳは、それぞれ、電力差に基づいて、復調される。
【０１０５】
[00117]方法１０００の別の態様において、ＵＥ１０４および／またはプロセッサ１２０４（図１２）は、第１のサブフレームスロットにおける第１のＤＭ−ＲＳを使用して、または第１のサブフレームスロットにおける第１のＤＭ−ＲＳおよび第２のサブフレームスロットにおける第２のＤＭ−ＲＳの両方を使用して、第１のサブフレームスロットにおける少なくとも１つのダウンリンクチャネルを復調するために、基準信号利用コンポーネント４２０を実行し得る。
【０１０６】
[00118]方法１０００の別の態様において、第１のサブフレームスロットは、第１のサブフレームのスロットにおける１つまたは複数のシンボル、および第２のサブフレームのスロットにおける１つまたは複数のシンボルを含むシンボルのセットを備える。
【０１０７】
[00119]方法１０００の別の態様において、第１のサブフレームスロットおよび第２のサブフレームスロットは、同じサブフレームまたは異なるサブフレームのうちの少なくとも１つに対応する。
【０１０８】
[00120]方法１０００の別の態様において、第２のサブフレームスロットは、第１のサブフレームスロットまたは第２のサブフレームスロットのうちの少なくとも１つに時間的に先行する。
【０１０９】
[00121]図１１は、基準信号利用コンポーネント１１２０を含む、それは、ダウンリンク基準信号の条件付き利用を管理するための基準信号利用コンポーネント４２０と同じかまたは類似であり得るのだが、例となる装置１１０２における異なる手段／コンポーネント間のデータフローを例示する概念データフロー図１１００である。装置は、ＵＥで有り得、それは、図１および４のＵＥ１０４を含み得る。装置は、第１のサブフレームスロットおよび第２のサブフレームスロットを有する送信を受信する受信コンポーネント１１０４、ここにおいて、第１のサブフレームスロットおよび第２のサブフレームスロットのうちの少なくとも１つは、シングルスロットの送信時間間隔（ＴＴＩ）を有する、と、第１のサブフレームスロットにおいて第１のＤＭ−ＲＳを、および第２のサブフレームスロットにおいて第２のＤＭ−ＲＳを検出する検出コンポーネント１１０６と、第１のサブフレームスロットにおける少なくとも１つのダウンリンクチャネルを復調するために、第２のサブフレームスロットにおける第２のＤＭ−ＲＳを使用することに対して、少なくとも１つの条件が存在するかどうかを決定することと、少なくとも１つの条件が存在するかどうかに基づいて、第１のサブフレームスロットにおける第１のＤＭ−ＲＳを使用して、または第１のサブフレームスロットにおける第１のＤＭ−ＲＳおよび第２のサブフレームスロットにおける第２のＤＭ−ＲＳの両方を使用して、第１のサブフレームスロットにおける少なくとも１つのダウンリンクチャネルを復調するかどうかを決定することとを行うための決定コンポーネント１１０８と、第１のサブフレームスロットにおける第１のＤＭ−ＲＳを使用して、または第１のサブフレームスロットにおける第１のＤＭ−ＲＳおよび第２のサブフレームスロットにおける第２のＤＭ−ＲＳの両方を使用して、第１のサブフレームスロットにおける少なくとも１つのダウンリンクチャネルを復調する復調コンポーネント１１１０と、装置１１０２から（基地局、または、ｅＮｏｄｅＢのような）ネットワークエンティティ１１５０に１つまたは複数の信号を送信する送信コンポーネント１１１２とを含む。
【０１１０】
[00122]装置は、図１０の上述のフローチャートにおけるアルゴリズムのブロックの各々を行う追加のコンポーネントを含み得る。そうであるため、図１０の前述されたフローチャート中の各ブロックは、コンポーネントによって行われ、装置は、それらのコンポーネントのうちの１つまたは複数を含み得る。コンポーネントは、述べられたプロセス／アルゴリズムを遂行するように特に構成された１つまたは複数のハードウェアコンポーネントであり得るか、述べられたプロセス／アルゴリズムを行うように構成されたプロセッサによってインプリメントされ得るか、プロセッサによるインプリメンテーションのためにコンピュータ読取り可能媒体内に記憶され得るか、またはそれらの何らかの組合せであり得る。
【０１１１】
[00123]図１２は、基準信号利用コンポーネント１１２０（図１１）を含む処理システム１２１４を用いる装置１１０２’のハードウェアインプリメンテーションの例を例示する図１２００であり、それは、ダウンリンク基準信号の条件付き利用を管理するための基準信号利用コンポーネント４２０と同じであるかまたは類似であり得る。処理システム１２１４は、一般に、バス１２２４によって表される、バスアーキテクチャを用いてインプリメントされ得る。バス１２２４は、処理システム９１４の特定のアプリケーションおよび全体的な設計制約に依存して、任意の数の相互接続バスおよびブリッジを含み得る。バス１２２４は、プロセッサ１２０４、コンポーネント１１０４、１１０６、１１０８、１１１０、および１１１２、およびコンピュータ読取り可能媒体／メモリ１２０６によって表される、１つまたは複数のプロセッサおよび／またはハードウェアコンポーネントを含む様々な回路をつなぐ（links together）。バス１２２４はまた、タイミングソース、周辺機器、電圧レギュレータ、および電力管理回路のような、様々な他の回路をリンクし得、これらは、当該技術分野において周知であり、したがって、これ以上は説明されない。
【０１１２】
[00124]処理システム１２１４は、トランシーバ１２１０に結合され得る。トランシーバ１２１０は、１つまたは複数のアンテナ１２２０に結合される。トランシーバ１２１０は、送信媒体を介して様々な他の装置と通信するための手段を提供する。トランシーバ１２１０は、１つまたは複数のアンテナ１２２０から信号を受信し、受信された信号から情報を抽出し、抽出された情報を、処理システム１２１４、特に受信コンポーネント１１０４に提供する。加えて、トランシーバ９１０は、処理システム１２１４、特に送信コンポーネント１１１２から情報を受信し、受信された情報に基づいて、１つまたは複数のアンテナ１２２０に適用される信号を生成する。処理システム１２１４は、コンピュータ読取り可能媒体／メモリ１２０６に結合されたプロセッサ１２０４を含む。プロセッサ１２０４は、コンピュータ読取り可能媒体／メモリ１２０６に記憶されたソフトウェアの実行を含む、一般的な処理を担う。このソフトウェアは、プロセッサ１２０４によって実行されるとき、処理システム１２１４に、任意の特定の装置に関して上記に説明された様々な機能を行わせる。コンピュータ読取り可能媒体／メモリ１２０６はまた、ソフトウェアを実行するとき、プロセッサ１２０４によって操作されるデータを記憶するために使用され得る。処理システム１２１４はさらに、コンポーネント１１０４、１１０６、１１０８、１１１０、および１１１２のうちの少なくとも１つを含む。コンポーネントは、プロセッサ１２０４において稼働し、コンピュータ読取り媒体／メモリ１２０６に内在する／記憶されたソフトウェアコンポーネント、プロセッサ１２０４に結合された１つまたは複数のハードウェアコンポーネント、またはそれらの何らかの組合せであり得る。
【０１１３】
[00125]１つの構成において、ワイヤレス通信のための装置１１０２／１１０２’は、第１のサブフレームスロットおよび第２のサブフレームスロットを有する送信を受信するための手段、ここにおいて、第１のサブフレームスロットおよび第２のサブフレームスロットのうちの少なくとも１つは、シングルスロットの送信時間間隔（ＴＴＩ）を有する、と；第１のサブフレームスロットにおいて第１の復調基準信号（ＤＭ−ＲＳ）を、および第２のサブフレームスロットにおいて第２のＤＭ−ＲＳを検出するための手段と；第１のサブフレームスロットにおける少なくとも１つのダウンリンクチャネルを復調するために、第２のサブフレームスロットにおける第２のＤＭ−ＲＳを使用することに対して、少なくとも１つの条件が存在するかどうかを、プロセッサを介して、決定するための手段と；少なくとも１つの条件が存在するかどうかに基づいて、第１のサブフレームスロットにおける第１のＤＭ−ＲＳを使用して、または第１のサブフレームスロットにおける第１のＤＭ−ＲＳおよび第２のサブフレームスロットにおける第２のＤＭ−ＲＳの両方を使用して、第１のサブフレームスロットにおける少なくとも１つのダウンリンクチャネルを復調するかどうかを決定するための手段と；第１のサブフレームスロットにおける第１のＤＭ−ＲＳを使用して、または第１のサブフレームスロットにおける第１のＤＭ−ＲＳおよび第２のサブフレームスロットにおける第２のＤＭ−ＲＳの両方を使用して、第１のサブフレームスロットにおける少なくとも１つのダウンリンクチャネルを復調するための手段と、を含む。前述の手段は、前述の手段によって記載された機能を行うように構成された装置１１０２’の処理システム１２１４および／または装置１１０２の前述のコンポーネントのうちの１つまたは複数であり得る。上記に説明されたように、処理システム１２１４は、ＴＸプロセッサ３６８、ＲＸプロセッサ３５６、およびコントローラ／プロセッサ３５９を含み得る。そうであるため、１つの構成において、上述の手段は、上述の手段によって記載された機能を行うように構成されたＴＸプロセッサ３６８、ＲＸプロセッサ３５６、およびコントローラ／プロセッサ３５９であり得る。
【０１１４】
[00126]別のスロットにおける送信の復調のための１つのスロットにおけるダウンリンク基準信号の使用に関する本態様がさらなる開示が添付物に含まれる。
【０１１５】
[00127]このように、前述に基づいて、本態様は、限定するものではないが、シンボル処理タイムラインにおいて役に立つより早期に生じるシンボルおよび異なる信号密度のような、見込まれるＵＥ−ＲＳ拡張；ＵＬおよびＤＬの両方に関して使用される周波数リソースの２倍の低減、ここで、いくつかの場合において、２つのＲＢの最小限の割り当てが、ＴＢＳサイズを変わらないように保つために使用され得、一方で、他の場合において最小限の割り当てとして１つのＲＢが使用されることができ、ＴＢサイズは、２によってスケーリングされることができる；ＣＳＩフィードバックは、現在のフィードバック機構の可能性のある再利用を含むが、異なるＴＢＳテーブルへの再マッピングを有し、例えば、干渉差を考慮に入れるための１ｍｓ対０．５ｍｓの送信に関する報告など、利用可能なリソースの合計数を説明する(account for)ために管理される；既存のＣＳＩ−ＲＳおよびＩＭＲパターンを再利用できる設計；異なるスロットに在るＤＭ−ＲＳのハンドリング、および新しいＤＭ−ＲＳのパターン対既存のＤＭ−ＲＳのパターンのハンドリング；ＴＢＳの決定が、スロット依存である場合を含め、および制御領域が、サイズにおいて異なる場合を含め、第１のスロットおよび第２のスロットにおいて、リソース利用可能性が異なることがある場合のＴＢＳのハンドリング；１スロットおよび１ｍｓのＴＴＩに関するＨＡＲＱプロセスハンドリング；およびＤＭ−ＲＳ位置の考慮、などのような課題に対処する。
【０１１６】
[00128]開示されたプロセス／フローチャートにおけるブロックの特定の順序または階層が例となる手法の例示であることは理解される。設計の選好に基づいて、プロセス／フローチャートにおけるブロックの特定の順序または階層は再配列され得るということが理解される。さらに、いくつかのブロックが組み合わされ得るか、または省略され得る。添付の方法の請求項は、様々なブロックの要素をサンプルの順序で提示したものであり、提示された特定の順序または階層に限定されるようには意図されない。
【０１１７】
[00129]先の説明は、あらゆる当業者が本明細書で説明されている様々な態様を実施することを可能にするように提供されている。これらの態様への様々な変更は当業者には容易に明らかになり、本明細書で定義されている包括的な本質は他の態様に適用され得る。したがって、特許請求の範囲は、本明細書で示されている態様を限定されるように意図されておらず、特許請求の範囲の用語と一貫した最大範囲であると認められるものとし、ここにおいて、単数の要素に対する参照は、「１つおよび１つだけ」を、そのように特別に述べられない限りは意味するように意図されておらず、むしろ「１つまたは複数」を意味するように意図されている。「例となる（exemplary）」という用語は、ここで「例、実例、または例示を提供する」という意味で使用される。「例となる」としてここで説明された任意の態様は、必ずしも他の態様よりも好ましいまたは有利であるようには解釈されるべきでない。特別に別の方法で述べられない限り、「いくつか」という用語は１つまたは複数を表す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組合せ」のような組合せは、Ａ、Ｂ、および／またはＣの任意の組合せを含み、複数のＡ、複数のＢ、または複数のＣを含む。特に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」のような組合せは、Ａのみ、Ｂのみ、Ｃのみ、ＡとＢ、ＡとＣ、ＢとＣ、またはＡとＢとＣであり得、ここで、あらゆるこうした組合せが、Ａ、Ｂ、またはＣの１つまたは複数のメンバを含む。当業者に既知、もしくはいずれ既知となる本開示全体を通じて説明される様々な態様の要素に対する全ての構造的および機能的な同等物が、参照によってここに明示的に組み込まれ、請求項によって包含されるように意図されている。その上、本明細書で開示されているいずれも、こうした開示が請求項において明示的に記載されているかどうかにかかわらず、公衆に献呈することは意図されていない。「モジュール」、「メカニズム」、「要素」、「デバイス」等という言葉は、「手段」という言葉に対する代替でないことがある。そうであるため、どの請求項の要素も、当該要素が「のための手段」というフレーズを使用して明示的に記載されていない限り、ミーンズプラスファンクションとして解釈されるべきではない。
【図１】
2020022166.tif 000003
【図２Ａ】
2020022166.tif 000004
【図２Ｂ】
2020022166.tif 000005
【図２Ｃ】
2020022166.tif 000006
【図２Ｄ】
2020022166.tif 000007
【図３】
2020022166.tif 000008
【図４】
2020022166.tif 000009
【図５】
2020022166.tif 000010
【図６】
2020022166.tif 000011
【図７】
2020022166.tif 000012
【図８】
2020022166.tif 000013
【図９】
2020022166.tif 000014
【図１０】
2020022166.tif 000015
【図１１】
2020022166.tif 000016
【図１２】
2020022166.tif 000017
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のサブフレームスロットおよび第２のサブフレームスロットを有する送信を受信すること、ここにおいて、前記第１のサブフレームスロットおよび前記第２のサブフレームスロットのうちの少なくとも１つは、シングルスロットの送信時間間隔（ＴＴＩ）を有する、と、
前記第１のサブフレームスロットにおいて第１の復調基準信号（ＤＭ−ＲＳ）を、および前記第２のサブフレームスロットにおいて第２のＤＭ−ＲＳを検出すること、ここにおいて、前記第１のＤＭ−ＲＳおよび前記第２のＤＭ−ＲＳの各々は、前記第１のサブフレームスロットおよび前記第２のサブフレームスロットにおいて前倒しされ、ここにおいて、前記第１のサブフレームスロットにおいて前記第１のＤＭ−ＲＳを、および前記第２のサブフレームスロットにおいて前記第２のＤＭ−ＲＳを検出することは、前記第１のサブフレームスロットのシンボルの第１の部分において前記第１のＤＭ−ＲＳを、および前記第２のサブフレームスロットのシンボルの第２の部分において前記第２のＤＭ−ＲＳを検出することをさらに備える、と
を備え、
ここにおいて、シンボルの前記第１の部分およびシンボルの前記第２の部分は、前記第１のサブフレームスロットおよび前記第２のサブフレームスロットの各々における最初の６つのシンボルに対応する、方法。
【請求項２】
前記第１のサブフレームスロットにおける第１のＤＭ−ＲＳおよび前記第２のサブフレームスロットにおける前記第２のＤＭ−ＲＳは、アンテナポートの同じグループに関連付けられる、請求項１に記載の方法。
【請求項３】
前記第１のサブフレームスロットにおける前記第１のＤＭ−ＲＳおよび前記第２のサブフレームスロットにおける前記第２のＤＭ−ＲＳは、長さ２、または長さ４の直交カバーコード（ＯＣＣ）に関連付けられる、請求項１に記載の方法。
【請求項４】
前記第１のサブフレームスロットにおける前記第１のＤＭ−ＲＳは、アンテナポートの第１のグループに対応し、前記第２のサブフレームスロットにおける前記第２のＤＭ−ＲＳは、アンテナポートの前記第１のグループとは異なるアンテナポートの第２のグループに対応する、請求項１に記載の方法。
【請求項５】
前記第１のサブフレームスロットにおける前記第１のＤＭ−ＲＳおよび前記第２のサブフレームスロットにおける前記第２のＤＭ−ＲＳは、各々、異なる長さの直交カバーコード（ＯＣＣ）に関連付けられる、請求項１に記載の方法。
【請求項６】
前記第１のサブフレームスロットにおける前記第１のＤＭ−ＲＳを使用して、または前記第１のサブフレームスロットにおける前記第１のＤＭ−ＲＳおよび前記第２のサブフレームスロットにおける前記第２のＤＭ−ＲＳの両方を使用して、前記第１のサブフレームスロットにおける少なくとも１つのダウンリンクチャネルを復調することをさらに備える、請求項１に記載の方法。
【請求項７】
前記第１のサブフレームスロットおよび前記第２のサブフレームスロットは、同じサブフレームまたは異なるサブフレームに対応する、請求項１に記載の方法。
【請求項８】
前記第２のサブフレームスロットは、前記第１のサブフレームスロットに時間的に先行する、請求項１に記載の方法。
【請求項９】
ワイヤレス通信のための装置であって、
第１のサブフレームスロットおよび第２のサブフレームスロットを有する送信を受信するための手段、ここにおいて、前記第１のサブフレームスロットおよび前記第２のサブフレームスロットのうちの少なくとも１つは、シングルスロットの送信時間間隔（ＴＴＩ）を有する、と、
前記第１のサブフレームスロットにおいて第１の復調基準信号（ＤＭ−ＲＳ）を、および前記第２のサブフレームスロットにおいて第２のＤＭ−ＲＳを検出するための手段、ここにおいて、前記第１のＤＭ−ＲＳおよび前記第２のＤＭ−ＲＳの各々は、前記第１のサブフレームスロットおよび前記第２のサブフレームスロットにおいて前倒しされ、ここにおいて、前記第１のサブフレームスロットにおいて前記第１のＤＭ−ＲＳを、および前記第２のサブフレームスロットにおいて前記第２のＤＭ−ＲＳを検出するための手段は、前記第１のサブフレームスロットのシンボルの第１の部分において前記第１のＤＭ−ＲＳを、および前記第２のサブフレームスロットのシンボルの第２の部分において前記第２のＤＭ−ＲＳを検出するための手段をさらに備える、と
を備え、
ここにおいて、シンボルの前記第１の部分およびシンボルの前記第２の部分は、前記第１のサブフレームスロットおよび前記第２のサブフレームスロットの各々における最初の６つのシンボルに対応する、装置。
【請求項１０】
ワイヤレス通信のための装置であって、
トランシーバと、
メモリと、
前記メモリに結合され、および、
第１のサブフレームスロットおよび第２のサブフレームスロットを有する送信を、前記トランシーバを介して、受信すること、ここにおいて、前記第１のサブフレームスロットおよび前記第２のサブフレームスロットのうちの少なくとも１つは、シングルスロットの送信時間間隔（ＴＴＩ）を有する、と、
前記第１のサブフレームスロットにおいて第１の復調基準信号（ＤＭ−ＲＳ）を、および前記第２のサブフレームスロットにおいて第２のＤＭ−ＲＳを検出することと、を行うように構成された、少なくとも１つのプロセッサ、ここにおいて、前記第１のＤＭ−ＲＳおよび前記第２のＤＭ−ＲＳの各々は、前記第１のサブフレームスロットおよび前記第２のサブフレームスロットにおいて前倒しされ、ここにおいて、前記第１のサブフレームスロットにおいて前記第１のＤＭ−ＲＳを、および前記第２のサブフレームスロットにおいて前記第２のＤＭ−ＲＳを検出するように構成された前記プロセッサは、前記第１のサブフレームスロットのシンボルの第１の部分において前記第１のＤＭ−ＲＳを、および前記第２のサブフレームスロットのシンボルの第２の部分において前記第２のＤＭ−ＲＳを検出するようにさらに構成される、と
を備え、
ここにおいて、シンボルの前記第１の部分およびシンボルの前記第２の部分は、前記第１のサブフレームスロットおよび前記第２のサブフレームスロットの各々における最初の６つのシンボルに対応する、装置。
【請求項１１】
コンピュータ実行可能なコードを記憶した非一時的なコンピュータ読取り可能媒体であって、
第１のサブフレームスロットおよび第２のサブフレームスロットを有する送信を受信すること、ここにおいて、前記第１のサブフレームスロットおよび前記第２のサブフレームスロットのうちの少なくとも１つは、シングルスロットの送信時間間隔（ＴＴＩ）を有する、と、
前記第１のサブフレームスロットにおいて第１の復調基準信号（ＤＭ−ＲＳ）を、および前記第２のサブフレームスロットにおいて第２のＤＭ−ＲＳを検出すること、ここにおいて、前記第１のＤＭ−ＲＳおよび前記第２のＤＭ−ＲＳの各々は、前記第１のサブフレームスロットおよび前記第２のサブフレームスロットにおいて前倒しされ、ここにおいて、前記第１のサブフレームスロットにおいて前記第１のＤＭ−ＲＳを、および前記第２のサブフレームスロットにおいて前記第２のＤＭ−ＲＳを検出するためのコードは、前記第１のサブフレームスロットのシンボルの第１の部分において前記第１のＤＭ−ＲＳを、および前記第２のサブフレームスロットのシンボルの第２の部分において前記第２のＤＭ−ＲＳを検出するためのコードをさらに備える、と
を行うためのコードを備え、
ここにおいて、シンボルの前記第１の部分およびシンボルの前記第２の部分は、前記第１のサブフレームスロットおよび前記第２のサブフレームスロットの各々における最初の６つのシンボルに対応する、非一時的なコンピュータ読取り可能媒体。
【請求項１２】
前記第１のＤＭ−ＲＳは、前記第１のサブフレームスロットのシンボルの第３の部分から省略され、前記第２のＤＭ−ＲＳは、前記第２のサブフレームスロットのシンボルの第４の部分から省略される、請求項１に記載の方法。
【請求項１３】
シンボルの前記第３の部分およびシンボルの前記第４の部分は、前記第１のサブフレームスロットおよび前記第２のサブフレームスロットの各々における１つまたは複数の最後のシンボルに対応する、請求項１２に記載の方法。
【請求項１４】
前記第１のＤＭ−ＲＳは、前記第１のサブフレームスロットのシンボルの第３の部分から省略され、前記第２のＤＭ−ＲＳは、前記第２のサブフレームスロットのシンボルの第４の部分から省略される、請求項９に記載の装置。
【請求項１５】
シンボルの前記第３の部分およびシンボルの前記第４の部分は、前記第１のサブフレームスロットおよび前記第２のサブフレームスロットの各々における１つまたは複数の最後のシンボルに対応する、請求項１４に記載の装置。
【請求項１６】
前記第１のサブフレームスロットにおける前記第１のＤＭ−ＲＳを使用して、または前記第１のサブフレームスロットにおける前記第１のＤＭ−ＲＳおよび前記第２のサブフレームスロットにおける前記第２のＤＭ−ＲＳの両方を使用して、前記第１のサブフレームスロットにおける少なくとも１つのダウンリンクチャネルを復調するための手段をさらに備える、請求項９に記載の装置。
【請求項１７】
前記第１のＤＭ−ＲＳは、前記第１のサブフレームスロットのシンボルの第３の部分から省略され、前記第２のＤＭ−ＲＳは、前記第２のサブフレームスロットのシンボルの第４の部分から省略される、請求項１０に記載の装置。
【請求項１８】
シンボルの前記第３の部分およびシンボルの前記第４の部分は、前記第１のサブフレームスロットおよび前記第２のサブフレームスロットの各々における１つまたは複数の最後のシンボルに対応する、請求項１７に記載の装置。
【請求項１９】
前記プロセッサは、前記第１のサブフレームスロットにおける前記第１のＤＭ−ＲＳを使用して、または前記第１のサブフレームスロットにおける前記第１のＤＭ−ＲＳおよび前記第２のサブフレームスロットにおける前記第２のＤＭ−ＲＳの両方を使用して、前記第１のサブフレームスロットにおける少なくとも１つのダウンリンクチャネルを復調するように構成される、請求項１０に記載の装置。
【請求項２０】
前記第１のＤＭ−ＲＳは、前記第１のサブフレームスロットのシンボルの第３の部分から省略され、前記第２のＤＭ−ＲＳは、前記第２のサブフレームスロットのシンボルの第４の部分から省略される、請求項１１に記載の非一時的なコンピュータ読取り可能媒体。
【請求項２１】
シンボルの前記第３の部分およびシンボルの前記第４の部分は、前記第１のサブフレームスロットおよび前記第２のサブフレームスロットの各々における１つまたは複数の最後のシンボルに対応する、請求項２０に記載の非一時的なコンピュータ読取り可能媒体。
【請求項２２】
前記第１のサブフレームスロットにおける前記第１のＤＭ−ＲＳを使用して、または前記第１のサブフレームスロットにおける前記第１のＤＭ−ＲＳおよび前記第２のサブフレームスロットにおける前記第２のＤＭ−ＲＳの両方を使用して、前記第１のサブフレームスロットにおける少なくとも１つのダウンリンクチャネルを復調するためのコードをさらに備える、請求項１１に記載の非一時的なコンピュータ読取り可能媒体。
【手続補正２】
【補正対象書類名】明細書
【補正対象項目名】０１１７
【補正方法】変更
【補正の内容】
【０１１７】
[00129]先の説明は、あらゆる当業者が本明細書で説明されている様々な態様を実施することを可能にするように提供されている。これらの態様への様々な変更は当業者には容易に明らかになり、本明細書で定義されている包括的な本質は他の態様に適用され得る。したがって、特許請求の範囲は、本明細書で示されている態様を限定されるように意図されておらず、特許請求の範囲の用語と一貫した最大範囲であると認められるものとし、ここにおいて、単数の要素に対する参照は、「１つおよび１つだけ」を、そのように特別に述べられない限りは意味するように意図されておらず、むしろ「１つまたは複数」を意味するように意図されている。「例となる（exemplary）」という用語は、ここで「例、実例、または例示を提供する」という意味で使用される。「例となる」としてここで説明された任意の態様は、必ずしも他の態様よりも好ましいまたは有利であるようには解釈されるべきでない。特別に別の方法で述べられない限り、「いくつか」という用語は１つまたは複数を表す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組合せ」のような組合せは、Ａ、Ｂ、および／またはＣの任意の組合せを含み、複数のＡ、複数のＢ、または複数のＣを含む。特に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」のような組合せは、Ａのみ、Ｂのみ、Ｃのみ、ＡとＢ、ＡとＣ、ＢとＣ、またはＡとＢとＣであり得、ここで、あらゆるこうした組合せが、Ａ、Ｂ、またはＣの１つまたは複数のメンバを含む。当業者に既知、もしくはいずれ既知となる本開示全体を通じて説明される様々な態様の要素に対する全ての構造的および機能的な同等物が、参照によってここに明示的に組み込まれ、請求項によって包含されるように意図されている。その上、本明細書で開示されているいずれも、こうした開示が請求項において明示的に記載されているかどうかにかかわらず、公衆に献呈することは意図されていない。「モジュール」、「メカニズム」、「要素」、「デバイス」等という言葉は、「手段」という言葉に対する代替でないことがある。そうであるため、どの請求項の要素も、当該要素が「のための手段」というフレーズを使用して明示的に記載されていない限り、ミーンズプラスファンクションとして解釈されるべきではない。
以下に本願の出願当初の特許請求の範囲に記載された発明を付記する。
［Ｃ１］  ワイヤレス通信のための方法であって、
第１のサブフレームスロットおよび第２のサブフレームスロットを有する送信を受信すること、ここにおいて、前記第１のサブフレームスロットおよび前記第２のサブフレームスロットのうちの少なくとも１つは、シングルスロットの送信時間間隔（ＴＴＩ）を有する、と、
前記第１のサブフレームスロットにおいて第１の復調基準信号（ＤＭ−ＲＳ）を、および前記第２のサブフレームスロットにおいて第２のＤＭ−ＲＳを検出することと、
前記第１のサブフレームスロットにおける少なくとも１つのダウンリンクチャネルを復調するために、前記第２のサブフレームスロットにおける前記第２のＤＭ−ＲＳを使用することに対して、少なくとも１つの条件が存在するかどうかを、プロセッサを介して、決定することと、
前記少なくとも１つの条件が存在するかどうかに基づいて、前記第１のサブフレームスロットにおける前記第１のＤＭ−ＲＳを使用して、または前記第１のサブフレームスロットにおける前記第１のＤＭ−ＲＳおよび前記第２のサブフレームスロットにおける前記第２のＤＭ−ＲＳの両方を使用して、前記第１のサブフレームスロットにおける少なくとも１つのダウンリンクチャネルを復調するかどうかを決定することと
を備える、方法。
［Ｃ２］  前記条件は、前記第１のサブフレームスロットにおける前記少なくとも１つのダウンリンクチャネルを復調するために前記第２のサブフレームスロットにおける前記第２のＤＭ−ＲＳを使用するためのインジケーションを備える、Ｃ１に記載の方法。
［Ｃ３］  前記第２のＤＭ−ＲＳを使用するための前記インジケーションは、
前記第２のＤＭ−ＲＳを使用することに関連付けられた既知の無線リソース制御（ＲＲＣ）構成、または
前記第２のＤＭ−ＲＳを使用することに関連付けられた既知のダウンリンク制御情報（ＤＣＩ）フォーマット
のうちの少なくとも１つをさらに備える、Ｃ２に記載の方法。
［Ｃ４］  前記第２のＤＭ−ＲＳを使用するための前記インジケーションは、復調のために使用される同じスロットにおける他のリソース要素の識別子をさらに備える、Ｃ２に記載の方法。
［Ｃ５］  前記第２のＤＭ−ＲＳを使用するための前記インジケーションは、前記第２のＤＭ−ＲＳを使用することに関連付けられた暗黙のインジケーションをさらに備える、Ｃ２に記載の方法。
［Ｃ６］  前記暗黙のインジケーションは、
前記第１のサブフレームスロットにおいてスケジューリングされた既知のランク送信、または
前記第１のサブフレームスロットにおけるスケジューリングされたデータ送信のために前記第２のサブフレームスロットにおいて送信される制御信号
のうちの少なくとも１つを備える、Ｃ５に記載の方法。
［Ｃ７］  前記第１のサブフレームスロットにおいて前記第１のＤＭ−ＲＳをおよび前記第２のサブフレームスロットにおいて前記第２のＤＭ−ＲＳを検出することは、
前記第１のサブフレームスロットの少なくとも１つのリソースブロックにおいて前記第１のＤＭ−ＲＳを検出することと、
前記第２のサブフレームスロットの少なくとも１つのリソースブロックにおいて前記第２のＤＭ−ＲＳを検出することと、
ここにおいて、前記条件が存在するかどうかを決定することは、前記第１のサブフレームスロットの前記少なくとも１つのリソースブロックの各々に関して、および前記第２のサブフレームスロットの前記少なくとも１つのリソースブロックの各々に関して、決定することをさらに備える、と
をさらに備える、Ｃ１に記載の方法。
［Ｃ８］  前記第１のサブフレームスロットにおける第１のＤＭ−ＲＳおよび前記第２のサブフレームスロットにおける前記第２のＤＭ−ＲＳは、アンテナポートの同じグループに関連付けられる、Ｃ１に記載の方法。
［Ｃ９］  前記第１のサブフレームスロットにおける前記第１のＤＭ−ＲＳおよび前記第２のサブフレームスロットにおける前記第２のＤＭ−ＲＳは、長さ２、または長さ４の直交カバーコード（ＯＣＣ）に関連付けられる、Ｃ１に記載の方法。
［Ｃ１０］  前記第２のサブフレームスロットにおいてスケジューリングされた少なくとも１つのチャネルが前記第２のサブフレームスロットにおけるアンテナポートグループとは異なるアンテナポートグループにおけるアンテナポートのセットを用いて送信されるとき、前記第２のサブフレームスロットにおける前記第２のＤＭ−ＲＳおよび前記第１のＤＭ−ＲＳの周りで、チャネルレートマッチングを行うことをさらに備える、Ｃ１に記載の方法。
［Ｃ１１］  前記第１のサブフレームスロットにおける前記第１のＤＭ−ＲＳは、アンテナポートの第１のグループに対応し、前記第２のサブフレームスロットにおける前記第２のＤＭ−ＲＳは、アンテナポートの前記第１のグループとは異なるアンテナポートの第２のグループに対応する、Ｃ１に記載の方法。
［Ｃ１２］  前記第１のサブフレームスロットにおける前記第１のＤＭ−ＲＳおよび前記第２のサブフレームスロットにおける前記第２のＤＭ−ＲＳは、各々、直交カバーコード（ＯＣＣ）の異なる長さに関連付けられる、Ｃ１に記載の方法。
［Ｃ１３］  データチャネルのための利用可能なリソース要素の数に対応する前記第１のサブフレームスロットにおけるリソース利用可能性を決定することと、
しきい値と前記リソース利用可能性を比較することと、
前記比較に基づいて、前記第１のサブフレームスロットに関して、トランスポートブロックサイズをスケーリングすることと
をさらに備える、Ｃ１に記載の方法。
［Ｃ１４］  前記しきい値が、既定の値、またはネットワークによって示された値のうちの少なくとも１つである、Ｃ１３に記載の方法。
［Ｃ１５］  前記シングルスロットのＴＴＩを有する前記少なくとも１つのダウンリンクチャネルとダウンリンクサブフレームに含まれる少なくとも１つの他のダウンリンクチャネルとの間でハイブリッド自動再送要求（ＨＡＲＱ）プロセスを共有すること、ここにおいて、前記少なくとも１つの他のダウンリンクチャネルは、サブフレーム長ＴＴＩを有する、をさらに備える、Ｃ１に記載の方法。
［Ｃ１６］  前記シングルスロットのＴＴＩを有する前記少なくとも１つのダウンリンクチャネルに関して、少なくとも１つの第１のハイブリッド自動再送要求（ＨＡＲＱ）プロセスを維持することと、
ダウンリンクサブフレームにおいて含まれる少なくとも１つの他のダウンリンクチャネルに関して、少なくとも１つの第２のＨＡＲＱプロセスを維持すること、ここにおいて、前記少なくとも１つの他のダウンリンクチャネルは、サブフレーム長ＴＴＩを有する、と、
前記少なくとも１つの第１のＨＡＲＱプロセスおよび前記少なくとも１つの第２のＨＡＲＱプロセスのためのシンボルを記憶するためのソフトバッファを区画することと、
をさらに備える、Ｃ１に記載の方法。
［Ｃ１７］  同じプリコーディングおよび電力が、前記第１のサブフレームスロットにおける前記第１のＤＭ−ＲＳおよび前記第２のサブフレームスロットにおける前記第２のＤＭ−ＲＳの両方に使用される、Ｃ１に記載の方法。
［Ｃ１８］  前記第１のサブフレームスロットと前記第２のサブフレームスロットとの間の電力差を識別する電力差のインジケーションを受信すること
をさらに備え、
ここにおいて、前記第１のサブフレームスロットにおける前記第１のＤＭ−ＲＳおよび前記第２のサブフレームスロットにおける前記第２のＤＭ−ＲＳは、それぞれ、前記電力差に基づいて、復調される、
Ｃ１に記載の方法。
［Ｃ１９］  前記第１のサブフレームスロットにおける前記第１のＤＭ−ＲＳを使用して、または前記第１のサブフレームスロットにおける前記第１のＤＭ−ＲＳおよび前記第２のサブフレームスロットにおける前記第２のＤＭ−ＲＳの両方を使用して、前記第１のサブフレームスロットにおける前記少なくとも１つのダウンリンクチャネルを復調することをさらに備える、Ｃ１に記載の方法。
［Ｃ２０］  前記第１のサブフレームスロットは、第１のサブフレームのスロットにおける１つまたは複数のシンボル、および第２のサブフレームのスロットにおける１つまたは複数のシンボルを含むシンボルのセットを備える、Ｃ１に記載の方法。
［Ｃ２１］  前記第１のサブフレームスロットおよび前記第２のサブフレームスロットは、同じサブフレームまたは異なるサブフレームのうちの少なくとも１つに対応する、Ｃ１に記載の方法。
［Ｃ２２］  前記第２のサブフレームスロットは、前記第１のサブフレームスロットまたは前記第２のサブフレームスロットのうちの少なくとも１つに時間的に先行する、Ｃ１に記載の方法。
［Ｃ２３］  ワイヤレス通信のための装置であって、
第１のサブフレームスロットおよび第２のサブフレームスロットを有する送信を受信するための手段、ここにおいて、前記第１のサブフレームスロットおよび前記第２のサブフレームスロットのうちの少なくとも１つは、シングルスロットの送信時間間隔（ＴＴＩ）を有する、と、
前記第１のサブフレームスロットにおいて第１の復調基準信号（ＤＭ−ＲＳ）を、および前記第２のサブフレームスロットにおいて第２のＤＭ−ＲＳを検出するための手段と、  前記第１のサブフレームスロットにおける少なくとも１つのダウンリンクチャネルを復調するために、前記第２のサブフレームスロットにおける前記第２のＤＭ−ＲＳを使用することに対して、少なくとも１つの条件が存在するかどうかを、プロセッサを介して、決定するための手段と、
前記少なくとも１つの条件が存在するかどうかに基づいて、前記第１のサブフレームスロットにおける前記第１のＤＭ−ＲＳを使用して、または前記第１のサブフレームスロットにおける前記第１のＤＭ−ＲＳおよび前記第２のサブフレームスロットにおける前記第２のＤＭ−ＲＳの両方を使用して、前記第１のサブフレームスロットにおける前記少なくとも１つのダウンリンクチャネルを復調するかどうかを決定するための手段と、
を備える、装置。
［Ｃ２４］  前記条件は、前記第１のサブフレームスロットにおける前記少なくとも１つのダウンリンクチャネルを復調するために前記第２のサブフレームスロットにおける前記第２のＤＭ−ＲＳを使用するためのインジケーションを備える、Ｃ２３に記載の装置。
［Ｃ２５］  ワイヤレス通信のための装置であって、
トランシーバと、
メモリと、
前記メモリに結合され、および、
第１のサブフレームスロットおよび第２のサブフレームスロットを有する送信を、前記トランシーバを介して、受信すること、ここにおいて、前記第１のサブフレームスロットおよび前記第２のサブフレームスロットのうちの少なくとも１つは、シングルスロットの送信時間間隔（ＴＴＩ）を有する、と、
前記第１のサブフレームスロットにおいて第１の復調基準信号（ＤＭ−ＲＳ）を、および前記第２のサブフレームスロットにおいて第２のＤＭ−ＲＳを検出することと、
前記第１のサブフレームスロットにおける少なくとも１つのダウンリンクチャネルを復調するために、前記第２のサブフレームスロットにおける前記第２のＤＭ−ＲＳを使用することに対して、少なくとも１つの条件が存在するかどうかを決定することと、
前記少なくとも１つの条件が存在するかどうかに基づいて、前記第１のサブフレームスロットにおける前記第１のＤＭ−ＲＳを使用して、または前記第１のサブフレームスロットにおける前記第１のＤＭ−ＲＳおよび前記第２のサブフレームスロットにおける前記第２のＤＭ−ＲＳの両方を使用して、前記第１のサブフレームスロットにおける前記少なくとも１つのダウンリンクチャネルを復調するかどうかを決定することと、
を行うように構成された、少なくとも１つのプロセッサと
を備える、装置。
［Ｃ２６］  前記条件は、前記第１のサブフレームスロットにおける前記少なくとも１つのダウンリンクチャネルを復調するために前記第２のサブフレームスロットにおける前記第２のＤＭ−ＲＳを使用するためのインジケーションを備える、Ｃ２５に記載の装置。
［Ｃ２７］  前記第２のＤＭ−ＲＳを使用するための前記インジケーションは、
前記第２のＤＭ−ＲＳを使用することに関連付けられた既知の無線リソース制御（ＲＲＣ）構成、または
前記第２のＤＭ−ＲＳを使用することに関連付けられた既知のダウンリンク制御情報（ＤＣＩ）フォーマット
のうちの少なくとも１つをさらに備える、Ｃ２６に記載の装置。
［Ｃ２８］  前記第１のサブフレームスロットにおいて前記第１のＤＭ−ＲＳをおよび前記第２のサブフレームスロットにおいて前記第２のＤＭ−ＲＳを検出するように構成された前記少なくとも１つのプロセッサは、
前記第１のサブフレームスロットの少なくとも１つのリソースブロックにおいて前記第１のＤＭ−ＲＳを検出することと、
前記第２のサブフレームスロットの少なくとも１つのリソースブロックにおいて前記第２のＤＭ−ＲＳを検出することと、
を行うようにさらに構成され、
ここにおいて、前記条件が存在するかどうかを決定するように構成された前記少なくとも１つのプロセッサは、前記第１のサブフレームスロットの前記少なくとも１つのリソースブロックの各々に関して、および前記第２のサブフレームスロットの前記少なくとも１つのリソースブロックの各々に関して、決定すること
を行うようにさらに構成される、Ｃ２５に記載の装置。
［Ｃ２９］  コンピュータ実行可能なコードを記憶したコンピュータ読取り可能媒体であって、
第１のサブフレームスロットおよび第２のサブフレームスロットを有する送信を受信すること、ここにおいて、前記第１のサブフレームスロットおよび前記第２のサブフレームスロットのうちの少なくとも１つは、シングルスロットの送信時間間隔（ＴＴＩ）を有する、と、
前記第１のサブフレームスロットにおいて第１の復調基準信号（ＤＭ−ＲＳ）を、および前記第２のサブフレームスロットにおいて第２のＤＭ−ＲＳを検出することと、
前記第１のサブフレームスロットにおける少なくとも１つのダウンリンクチャネルを復調するために、前記第２のサブフレームスロットにおける前記第２のＤＭ−ＲＳを使用することに対して、少なくとも１つの条件が存在するかどうかを、プロセッサを介して、決定することと、
前記少なくとも１つの条件が存在するかどうかに基づいて、前記第１のサブフレームスロットにおける前記第１のＤＭ−ＲＳを使用して、または前記第１のサブフレームスロットにおける前記第１のＤＭ−ＲＳおよび前記第２のサブフレームスロットにおける前記第２のＤＭ−ＲＳの両方を使用して、前記第１のサブフレームスロットにおける前記少なくとも１つのダウンリンクチャネルを復調するかどうかを決定することと
を行うためのコードを備える、コンピュータ読取り可能媒体。
［Ｃ３０］  前記条件は、前記第１のサブフレームスロットにおける前記少なくとも１つのダウンリンクチャネルを復調するために前記第２のサブフレームスロットにおける前記第２のＤＭ−ＲＳを使用するためのインジケーションを備える、Ｃ２９に記載のコンピュータ読取り可能媒体。